(57)【要約】【課題】住居内の高齢者等に生命の危険の可能性があった場合、当該高齢者等の安否確認を促す安否確認システムを提供する。【解決手段】本発明の一実施形態に係る安否確認システムは、受信部と、緊急対応部とを具備する。  上記受信部は、住居内の安否確認対象者の、健康上の異常に基づいて出力された緊急信号を受信する。  上記緊急対応部は、平常時に設定される第１の状態と、上記住居内の安否確認対象者の安否確認を促す第２の状態とを有し、上記緊急信号の受信に基づいて上記第１の状態から上記第２の状態へ移行する。【選択図】図２
2015158892.tif 000002
【特許請求の範囲】
【請求項１】
住居内の安否確認対象者の、健康上の異常に基づいて出力された緊急信号を受信する受信部と、
平常時に設定される第１の状態と、前記住居内の安否確認対象者の安否確認を促す第２の状態とを有し、前記緊急信号の受信に基づいて前記第１の状態から前記第２の状態へ移行する緊急対応部と、
を具備する安否確認システム。
【請求項２】
請求項１に記載の安否確認システムであって、
前記緊急対応部は、
前記住居の扉を施解錠することが可能であり、前記第１の状態で第１の入力情報に基づいて前記扉を解錠し、前記第２の状態で前記第１の入力情報によらず前記扉を解錠する錠部を有する
安否確認システム。
【請求項３】
請求項２に記載の安否確認システムであって、
前記緊急対応部は、
前記錠部は、前記第２の状態で、前記第１の入力情報とは異なる第２の入力情報に基づいて前記扉を解錠する
安否確認システム。
【請求項４】
請求項３に記載の安否確認システムであって、
前記緊急対応部は、
前記第２の状態で前記安否確認対象者の健康上の異常を前記住居外の所定の管理者へ通知することが可能な通知部をさらに有し、
前記第２の入力情報は、前記管理者が管理可能な情報である
安否確認システム。
【請求項５】
請求項４に記載の安否確認システムであって、
前記第１の入力情報は、第１の識別符号を含み、
前記第２の入力情報は、前記第１の識別符号とは異なる第２の識別符号を含み、
前記通知部は、前記所定の管理者に対し、前記健康上の異常に加えて、前記第２の識別符号を通知する
安否確認システム。
【請求項６】
請求項３又は４に記載の安否確認システムであって、
前記錠部の前記住居内側からの施錠操作を検出し、前記施錠操作を検出してからの計測時間が設定時間を経過したときに、異常信号を前記錠部に出力する異常検出部をさらに具備し、
前記緊急対応部は、前記緊急信号及び前記異常信号のうちの少なくとも一方の受信に基づいて前記第１の状態から前記第２の状態に移行する
安否確認システム。
【請求項７】
請求項２に記載の安否確認システムであって、
前記住居外に設置され所定の入力操作により呼出信号の出力が可能に構成された第１のインターホン部と、前記住居内に設置され前記呼出信号の受信が可能に構成された第２のインターホン部とを有するインターホン機構をさらに具備し、
前記錠部は、前記第１のインターホン部と接続され、前記第２の状態において、前記呼出信号を前記第２の入力情報と判定する
安否確認システム。
【請求項８】
請求項２から７のいずれか１つに記載の安否確認システムであって、
前記住居は、集合住宅の一室であり、
前記集合住宅には、前記集合住宅の外側から内側への通過が規制される共用口（が設けられ、
前記緊急対応部は、
前記第１の状態で、前記集合住宅の外側から通過不可能な前記共用口を、第１の共用口入力情報に基づいて通過可能な状態に切り替え、前記第２の状態で、前記集合住宅の外側から通過不可能な前記共用口を、前記第１の共用口入力情報によらず通過可能な状態に切り替える共用口切替部を有する
安否確認システム。
【請求項９】
請求項８に記載の安否確認システムであって、
前記共用口切替部は、前記第２の状態で、前記集合住宅の外側から通過不可能な前記共用口を、前記第１の共用口入力情報とは異なる第２の共用口入力情報に基づいて通過可能な状態に切り替える
安否確認システム。
【請求項１０】
請求項１から９のいずれか１つに記載の安否確認システムであって、
前記緊急対応部が前記第２の状態へ切り替えられた場合に、前記第２の状態に移行した旨を前記安否確認対象者に通知する切替通知部をさらに具備する
安否確認システム。
【請求項１１】
請求項１から１０のいずれか１つに記載の安否確認システムであって、
前記緊急対応部は、
前記第１の状態において発報せず、前記第２の状態において発報することが可能に構成され、前記住居外に設けられた発報部を有する
安否確認システム。
【請求項１２】
請求項１から１１のいずれか１つに記載の安否確認システムであって、
受信された前記緊急信号の緊急度を、予め設定された複数の緊急度に基づいて判定する判定部をさらに具備し、
前記緊急対応部は、前記複数の緊急度各々に対応する複数の第２の状態を有し、前記緊急信号の受信に基づいて、前記判定された緊急度に対応する第２の状態に移行する
安否確認システム。
【発明の詳細な説明】
【技術分野】
【０００１】
本発明は、住居内の対象者の緊急時に安否確認を促す安否確認システムに関する。
【背景技術】
【０００２】
近年、一般住宅の玄関等の扉には、例えば携帯型の無線リモコンキーのキー操作、テンキーのキー操作、さらにはＩＣカードを用いた暗証番号入力などにより電気錠の施解錠を行う錠部が採用されている。
【０００３】
また昨今、単身居住の高齢者が増加している。このため、例えば特許文献１には、身体が不自由な高齢者であっても電気錠の解錠操作が容易な錠部が記載されている。
【先行技術文献】
【特許文献】
【０００４】
【特許文献１】特開２００６−４５９４９号公報
【発明の概要】
【発明が解決しようとする課題】
【０００５】
ところで、単身居住の高齢者等が住居内で誰にも看取られることなく死亡する、いわゆる孤独死が社会問題化している。したがって、単身居住の高齢者等が自宅で体調不良に陥った場合に、迅速な安否確認を可能とする安否確認システムが求められている。
【０００６】
以上のような事情に鑑み、本発明の目的は、住居内の高齢者等に生命の危険の可能性があった場合、当該高齢者等の安否確認を促す安否確認システムを提供することにある。
【課題を解決するための手段】
【０００７】
上記目的を達成するため、本発明の一形態に係る安否確認システムは、受信部と、緊急対応部とを具備する。
上記受信部は、住居内の安否確認対象者の、健康上の異常に基づいて出力された緊急信号を受信する。
上記緊急対応部は、平常時に設定される第１の状態と、上記住居内の安否確認対象者の安否確認を促す第２の状態とを有し、上記緊急信号の受信に基づいて上記第１の状態から上記第２の状態へ移行する。
【図面の簡単な説明】
【０００８】
【図１】本発明の第１の実施形態に係る安否確認システムを示す模式図である。
【図２】上記安否確認システムを示すブロック図である。
【図３】上記安否確認システムの動作例を示すフロー図である。
【図４】第１の実施形態の変形例１−１に係る安否確認システムを示すブロック図である。
【図５】上記安否確認システムの動作例を示すフロー図である。
【図６】第１の実施形態の変形例１−２に係る安否確認システムを示すブロック図である。
【図７】上記安否確認システムの動作例を示すフロー図である。
【図８】第１の実施形態の変形例１−３に係る安否確認システムを示す模式図である。
【図９】上記安否確認システムを示すブロック図である。
【図１０】第１の実施形態の変形例１−４に係る安否確認システムを示すブロック図である。
【図１１】Ａは、上記安否確認システムの錠部の一部が配置された扉の室外側ケースを示す図であり、Ｂは、上記安否確認システムの異常検出部が配置された室内側ケースを示す模式図である。
【図１２】第１の実施形態の変形例１−５に係る安否確認システムを示すブロック図である。
【図１３】第１の実施形態の変形例１−６に係る安否確認システムを示すブロック図である。
【図１４】第１の実施形態の変形例１−８に係る安否確認システムを示すブロック図である。
【図１５】本発明の第２の実施形態に係る安否確認システムを示すブロック図である。
【図１６】上記安否確認システムの動作例を示すフロー図である。
【図１７】第２の実施形態の変形例２−１に係る安否確認システムを示すブロック図である。
【図１８】本発明の第３の実施形態に係る安否確認システムを示すブロック図である。
【図１９】本発明の第４の実施形態に係る安否確認システムを示すブロック図である。
【図２０】上記安否確認システムの動作例を示すフロー図である。
【図２１】本発明の第５の実施形態に係る安否確認システムを示すブロック図である。
【図２２】上記安否確認システムの動作例を示すフロー図である。
【図２３】第５の実施形態の変形例５−６に係る安否確認システムを示すブロック図である。
【図２４】第５の実施形態の変形例５−９に係る安否確認システムを示すブロック図である。
【図２５】第５の実施形態の変形例５−１０に係る安否確認システムを示すブロック図である。
【発明を実施するための形態】
【０００９】
本発明の一実施形態に係る安否確認システムは、受信部と、緊急対応部とを具備する。
上記受信部は、住居内の安否確認対象者の、健康上の異常に基づいて出力された緊急信号を受信する。
上記緊急対応部は、平常時に設定される第１の状態と、上記住居内の安否確認対象者の安否確認を促す第２の状態とを有し、上記緊急信号の受信に基づいて上記第１の状態から上記第２の状態へ移行する。
【００１０】
上記構成によれば、対象者に生命の危険の可能性があった場合、緊急対応部が安否確認を促す状態に移行するため、親族や周囲の住民等による安否確認を可能とすることができる。
【００１１】
上記緊急対応部は、
上記住居の扉を施解錠することが可能であり、上記第１の状態で第１の入力情報に基づいて上記扉を解錠し、上記第２の状態で上記第１の入力情報によらず上記扉を解錠する錠部を有してもよい。
【００１２】
これにより、緊急時には、平常時の解錠操作に用いられる入力情報によらず扉の解錠が可能となり、対象者の安否を確認することができる。
【００１３】
上記緊急対応部は、
上記錠部は、上記第２の状態で、上記第１の入力情報とは異なる第２の入力情報に基づいて上記扉を解錠してもよい。
【００１４】
これにより、緊急時に、平常時の解錠操作に用いられる第１の入力情報とは異なる第２の入力情報によって扉が解錠可能となる。したがって、第２の入力情報を管理する者によってのみ解錠が可能となるため、セキュリティレベルを維持しつつ、安否確認が可能となる。
【００１５】
さらに、上記緊急対応部は、
上記第２の状態で上記安否確認対象者の健康上の異常を上記住居外の所定の管理者へ通知することが可能な通知部をさらに有し、
上記第２の入力情報は、上記管理者が管理可能な情報であってもよい。
【００１６】
これにより、安否確認対象者の健康上の異常を通知された管理者、又は当該管理者によって第２の入力情報を伝達された救助者が現場に急行し、迅速な安否確認が可能となる。
【００１７】
加えて、上記第１の入力情報は、第１の識別符号を含み、
上記第２の入力情報は、上記第１の識別符号とは異なる第２の識別符号を含み、
上記通知部は、上記所定の管理者に対し、上記健康上の異常に加えて、上記第２の識別符号を通知してもよい。
【００１８】
これにより、緊急時にのみ使用する第２の識別符号を、所定の管理者にのみ通知することができる。したがって、第２の識別符号の機密性を高め、よりセキュリティレベルを高めることができる。
【００１９】
一方、上記錠部の上記住居内側からの施錠操作を検出し、上記施錠操作を検出してからの計測時間が設定時間を経過したときに、異常信号を上記錠部に出力する異常検出部をさらに具備し、
上記緊急対応部は、上記緊急信号及び上記異常信号のうちの少なくとも一方の受信に基づいて上記第１の状態から上記第２の状態に移行してもよい。
【００２０】
これにより、仮に緊急信号が失報した場合であっても、異常信号の受信により安否を確認することができる。
【００２１】
あるいは、安否確認システムは、
上記住居外に設置され所定の入力操作により呼出信号の出力が可能に構成された第１のインターホン部と、上記住居内に設置され上記呼出信号の受信が可能に構成された第２のインターホン部とを有するインターホン機構をさらに具備し、
上記錠部は、上記第１のインターホン部と接続され、上記第２の状態において、上記呼出信号を上記第２の入力情報と判定してもよい。
【００２２】
これにより、緊急時には、安否確認対象者の住居を訪問してきた人に対して扉を解錠し、安否を確認させることが可能となる。
【００２３】
あるいは、上記住居は、集合住宅の一室であり、
上記集合住宅には、上記集合住宅の外側から内側への通過が規制される共用口が設けられ、
上記緊急対応部は、
上記第１の状態で、上記集合住宅の外側から通過不可能な上記共用口を、第１の共用口入力情報に基づいて通過可能な状態に切り替え、上記第２の状態で、上記集合住宅の外側から通過不可能な上記共用口を、上記第１の共用口入力情報によらず通過可能な状態に切り替える共用口切替部を有してもよい。
【００２４】
これにより、対象者の住居が、外側から内側への通過が規制される共用口が設けられた集合住宅の一室であっても、安否確認が可能となる。
【００２５】
また、この場合に、上記共用口切替部は、上記第２の状態で、上記集合住宅の外側から通過不可能な上記共用口を、上記第１の共用口入力情報とは異なる第２の共用口入力情報に基づいて通過可能な状態に切り替えてもよい。
【００２６】
これにより、セキュリティレベルを維持しつつ、安否確認が可能となる。
【００２７】
また、安否確認システムは、
上記緊急対応部が上記第２の状態へ切り替えられた場合に、上記第２の状態に移行した旨を上記安否確認対象者に通知する切替通知部をさらに具備してもよい。
【００２８】
これにより、安否確認対象者本人が健康であり、緊急信号が誤報であった場合に、上記対象者本人にその旨を通知し、必要な措置を講じることが可能となる。
【００２９】
さらに、上記緊急対応部は、
上記第１の状態において発報せず、上記第２の状態において発報することが可能に構成され、上記住居外に設けられた発報部を有してもよい。
【００３０】
これにより、住居外に緊急事態を発報することができ、安否確認を促すことができる。
【００３１】
また、安否確認システムは、
受信された上記緊急信号の緊急度を、予め設定された複数の緊急度に基づいて判定する判定部をさらに具備し、
上記緊急対応部は、上記複数の緊急度各々に対応する複数の第２の状態を有し、上記緊急信号の受信に基づいて、上記判定された緊急度に対応する第２の状態に移行してもよい。
【００３２】
これにより、緊急度に応じて適切な第２の状態に移行することができ、安否確認とセキュリティレベルとの双方の観点を満足させることができる。
【００３３】
以下、図面を参照しながら、本発明の実施形態を説明する。
【００３４】
＜第１の実施形態＞
（安否確認システムの構成）
図１は、本発明の第１の実施形態に係る安否確認システムを示す模式図であり、図２は同システムのブロック図である。
【００３５】
安否確認システム１００は、住居Ｈの高齢者等である安否確認対象者（以下、対象者とも称する）Ｐ１の生命の危険を検出した場合、特定の管理者Ｐ２の操作によって扉Ｄの解錠が可能に構成される。図１において、Ｍ１は対象者Ｐ１の所有する携帯情報端末、Ｍ２は管理者Ｐ２の所有する携帯情報端末やパーソナルコンピュータ等の端末Ｍ２、Ｃは扉Ｄに取り付けられた室外側ケースＣを示す。住居Ｈは、集合住宅の一室であってもよく、あるいは一戸建ての住宅であってもよい。扉Ｄは、住居Ｈの玄関扉を指すものとする。
【００３６】
本実施形態によれば、上記課題に加えて、セキュリティレベルを維持しつつ、対象者の緊急時に安否確認をすることが可能な安否確認システム１００を提供するという課題を解決できる。
【００３７】
図２に示すように、安否確認システム１００は、受信部１１と、緊急対応部１０とを備える。また、後述する第１の受信部１１１と、緊急対応部１０の通知部１３とは、例えば、対象者の携帯電話機やスマートフォン等の携帯情報端末Ｍ１に予めインストールされた安否確認アプリケーションが動作することで実現される。
【００３８】
本実施形態において、対象者は、バイタルサインセンサ１５を装着している。バイタルサインセンサ１５は、例えば、心拍センサであり、対象者の手首に装着される。あるいは、バイタルサインセンサ１５は、脈拍、体表音、体温、血圧、その他のバイタルサインを検出するセンサ等であってもよい。また、バイタルサインセンサ１５は、対象者の健康上の異常が検出された場合に、緊急信号を送信可能に構成される。ここで「健康上の異常」とは、例えば装着している対象者の心拍数が著しく低下する等、生命の危険が伴う健康上の異常を含む。バイタルサインセンサ１５が心拍センサの場合、例えば生命の危険性が高い第１の心拍数以下の心拍を検出した際に、緊急信号を出力可能に構成される。
【００３９】
受信部１１は、住居内の対象者について、健康上の異常に基づいて出力された緊急信号を受信する。受信部１１は、第１の受信部１１１と、第２の受信部１１２とを有する。
【００４０】
第１の受信部１１１は、バイタルサインセンサ１５から緊急信号を受信し、第２の受信部１１２へ緊急信号を送信する。第１の受信部１１１は、例えば携帯情報端末Ｍ１に搭載された送受信器によりその機能が発揮されてもよい。通信手段としては特に限定されないが、例えば、Bluetooth（登録商標）、Wi Fi（登録商標）等の近距離無線通信を用いることができる。
【００４１】
第２の受信部１１２は、第１の受信部１１１から緊急信号を受信して、緊急対応部１０の錠部１２に緊急信号を送信する。第２の受信部１１２は、例えば室外側ケースＣに格納された送受信器によりその機能が発揮されてもよい。通信手段としては特に限定されないが、例えば、Bluetooth（登録商標）、Wi Fi（登録商標）等の近距離無線通信を用いることができる。
【００４２】
緊急対応部１０は、平常時に設定される平常モード（第１の状態）と、住居Ｈ内の対象者Ｐ１の安否確認を促す緊急モード（第２の状態）とを有し、緊急信号の受信に基づいて平常モードから緊急モードへ移行する。緊急対応部１０は、錠部１２と、通知部１３とを有する。
【００４３】
錠部１２は、例えば電池式の電気錠装置として構成され、所定の施解錠キーに含まれる情報を読み取ることによって、対象者Ｐ１の住居Ｈの扉Ｄの施解錠が可能に構成される。錠部１２は、第２の受信部１１２とともに、室外側ケースＣに格納される。施解錠キーは、例えば、例えば非接触型ＩＣチップやＲＦＩＤタグ（Radio Frequency Identification Tag）を搭載した非接触型ＩＣカードなどの各種カード状記憶媒体、リモコンキー、対象者が所有する携帯情報端末Ｍ１などで構成される。本実施形態に係る施解錠キーとしては、第１の入力情報を含む平常用キーと、第１の入力情報とは異なる第２の入力情報を含む緊急用キーの２種類の施解錠キーが使用される。平常用キーは、一般に、住居に住む対象者が管理し、緊急用キーは、後述する所定の管理者が管理する。
【００４４】
錠部１２は、平常モードで第１の入力情報に基づいて扉Ｄを解錠し、緊急モードで第１の入力情報によらず、第１の入力情報とは異なる第２の入力情報に基づいて扉Ｄを解錠する。第２の入力情報は、管理者Ｐ２が管理可能な情報である。錠部１２は、電気錠１２１と、入力部１２２と、制御部１２３と、バッテリ１２４とを有する。
【００４５】
電気錠１２１は、扉Ｄに取り付けられ、制御部１２３からの駆動制御信号により施解錠が制御される。電気錠１２１は、具体的には、モータやソレノイド等を含む駆動装置と、デッドボルト等を含む錠前とを有し、駆動装置が駆動制御信号によって制御される。駆動装置は、施錠時においてデッドボルトを突出させて扉枠の係止穴に係止させ、解錠時においてデッドボルトを引き込むように構成される。なお電気錠１２１は、図示しないサムターンによって室内側から施解錠が可能に構成されてもよい。
【００４６】
入力部１２２は、例えば、施解錠キーに書き込まれた情報を読み取ることが可能に構成される。より具体的には、入力部１２２は、施解錠キーがリモコンなどの無線型キーで構成される場合には送受信器、施解錠キーがカード状記憶媒体で構成される場合にはカードリーダ等で構成される。
【００４７】
制御部１２３は、第２の受信部１１２から緊急信号を受信した場合、平常モードから緊急モードに移行する。制御部１２３は、平常モードにおいて、平常用キーに書き込まれた第１の入力情報に基づいて解錠するように電気錠１２１の駆動を制御し、緊急モードにおいて、緊急用キーに書き込まれた第２の入力情報に基づいて解錠するように電気錠１２１の駆動を制御する。制御部１２３は、例えばＣＰＵ（Central Processing Unit）やＲＯＭ（Read Only Memory）、ＲＡＭ（Random Access Memory）、その他の半導体メモリ等の構成を含む。
【００４８】
バッテリ１２４は、錠部１２の各部に給電することが可能であり、例えば一次電池で構成される。さらに、錠部１２は、図示しない緊急用外部電源を有していてもよく、これによってバッテリ１２４が切れた場合でも動作可能に構成され得る。
【００４９】
通知部１３は、第１の受信部１１１の緊急信号の受信に基づいて平常モードから緊急モードに移行し、緊急モードで対象者Ｐ１の健康上の異常を住居外の所定の管理者Ｐ２へ通知することが可能に構成される。所定の管理者Ｐ２は、対象者Ｐ１毎に予め定められた管理者Ｐ２であって、例えば、対象者Ｐ１の親族や、対象者Ｐ１と契約された警備会社の職員等が挙げられる。
【００５０】
通知部１３は、具体的には、緊急信号の受信時に、携帯電話通信網等を利用して、管理者Ｐ２の携帯電話機等の端末Ｍ２へ対象者が緊急事態である旨の電子メールを自動的に送信することができる。通知部１３は、また、ＧＰＳ（Global Positioning System）を利用した対象者の携帯情報端末の位置情報等を同時に送信してもよい。
【００５１】
以上のように構成された安否確認システム１００は、緊急信号の受信により、錠部１２が緊急モードに移行するとともに、対象者の健康上の異常を、所定の管理者に通知することが可能となる。次に、以上のように構成された安否確認システム１００の動作について説明する。
【００５２】
（安否確認システムの動作）
図３は、本実施形態に係る安否確認システム１００の動作例を示すフロー図である。
【００５３】
緊急対応部１０は、平常モードに設定されており、錠部１２は、平常用キーによって施解錠可能な状態にある。まず、受信部１１は、対象者に装着されたバイタルサインセンサ１５から、対象者の健康上の異常を知らせる緊急信号を受信する（ＳＴ１０１）。ここでは、例えば、対象者の心拍数が著しく低下し、対象者の生命の危険を伴うような状況を想定する。このような場合、対象者は、自力で救助を求めることが難しい。
【００５４】
続いて、受信部１１は、緊急対応部１０の錠部１２（制御部１２３）及び通知部１３に対して緊急信号を送信する（ＳＴ１０２）。
【００５５】
これにより、緊急対応部１０が、平常モードから緊急モードに移行する（ＳＴ１０３）。すなわち、錠部１２は、第２の入力情報に基づいて扉を解錠できる状態となり（ＳＴ１０３−１）、通知部１３は、携帯電話回線網を介して、対象者の健康上の異常及び対象者の携帯情報端末の所在地を、住居外の所定の管理者の端末に電子メールで通知する（ＳＴ１０３−２）。この電子メールを受信した管理者は、管理している緊急用キーを持参して、通知された所在地である対象者の住居に急行する。
【００５６】
対象者の住居に到着した管理者は、緊急用キーを錠部１２の入力部１２２に近づける。これにより、錠部１２は、第２の入力情報に基づいて扉を解錠する（ＳＴ１０４）。したがって、管理者が対象者の住居内に入り、対象者を救助することができる。また管理者は、必要に応じ、救急隊に通報し、救助を要請することもできる。
【００５７】
以上のように、本実施形態によれば、緊急信号の受信に伴い、錠部１２及び通知部１３が緊急モードに移行するため、緊急用キーを所持している管理者によって迅速な安否確認及び救助が可能となる。したがって、対象者の救命率の向上に寄与することができる。
【００５８】
さらに、緊急モードにおいて、平常時に用いる平常用キーとは異なる緊急用キーによって解錠するため、緊急用キーを所持する所定の管理者のみが扉を解錠することができる。したがって、セキュリティレベルを維持しつつ、安否確認が可能となる。
【００５９】
また、通知部１３により、対象者の住居から離れた場所の管理者に対して異常事態を通知することが可能となる。これにより、住居外の管理者が異常事態を把握することができ、安否確認が可能となる。
【００６０】
また、錠部１２が電池式の電気錠装置を採用できることから、配線工事等が不要となる。したがって、既存の扉への後付けも容易になり、導入コストを抑制することができる。さらに、安否確認システム１００は、対象者の携帯情報端末と、電池式の電気錠装置である錠部１２とを含むため、仮に停電が起こった場合であっても、管理者に対して問題なく緊急事態を通報することができる。
【００６１】
加えて、緊急信号の受信時にのみ安否確認が可能な緊急モードへ移行するため、維持コストを抑制しつつ、対象者を常時見守ることが可能な安否確認システム１００を提供することができる。
【００６２】
以下、本実施形態の変形例について説明する。なお、上述の説明と異なる部分を主に説明し、同様の構成については同一の符号を付してその説明を省略する。
【００６３】
［変形例１−１］
（安否確認システムの構成）
図４は、変形例１−１に係る安否確認システムを示すブロック図である。同図に示すように、安否確認システム１００Ａは、受信部１１と、緊急対応部１０Ａとを備える。緊急対応部１０Ａは、錠部１２Ａと、通知部１３Ａとを有する。本変形例は、上述の実施形態と異なり、錠部１２Ａが電池式のテンキー錠として構成され、緊急時は、平常時と異なる暗証番号を用いて解錠可能となる。
【００６４】
錠部１２Ａは、本変形例において、所定の識別符号（暗証番号）の入力により施解錠が可能に構成される。錠部１２Ａは、平常モードで第１の入力情報に基づいて扉を解錠し、緊急モードで第１の入力情報とは異なる第２の入力情報に基づいて扉を解錠する。第１の入力情報は、第１の識別符号（平常用暗証番号）を含み、第２の入力情報は、所定の管理者が管理可能な情報であり、平常用暗証番号とは異なる第２の識別符号（緊急用暗証番号）を含む。
【００６５】
錠部１２Ａは、電気錠１２１Ａと、入力部１２２Ａと、制御部１２３Ａと、バッテリ１２４Ａと、識別符号送信部１２７Ａを有する。電気錠１２１Ａ及びバッテリ１２４Ａは、それぞれ電気錠１２１及びバッテリ１２４と同様に構成されるため、説明を省略する。
【００６６】
入力部１２２Ａは、例えば、室外側ケースＣに配置され、電気錠１２１Ａの錠前を施解錠する際の入力操作を受け付ける。入力部１２２Ａは、例えば、暗証番号を入力するためのテンキーを含む複数の操作ボタンを有し、これらの操作ボタンの入力操作に基づく操作情報を、制御部１２３Ａに出力する。
【００６７】
制御部１２３Ａは、平常モードにおいて、平常用暗証番号の入力に基づいて解錠するように電気錠１２１Ａの駆動を制御し、緊急モードにおいて、緊急用暗証番号の入力に基づいて解錠するように電気錠１２１Ａを制御する。制御部１２３Ａは、例えばＣＰＵやＲＯＭ、ＲＡＭ、その他の半導体メモリ等の構成を含む。
【００６８】
制御部１２３Ａは、後述する識別符号送信部１２７Ａと通信可能に構成され、第２の受信部１１２から緊急信号を受信した場合、平常モードから緊急モードに切り替え可能に構成される。制御部１２３Ａは、本変形例において、緊急モードに移行する際、緊急用暗証番号を作成してもよい。さらに作成した緊急用暗証番号を、識別符号送信部１２７Ａに送信することができる。
【００６９】
なお、緊急用暗証番号は、予め定められているものであってもよい。この場合、緊急用暗証番号は、例えば、対象者の住居の部屋番号や、緊急隊へ通報する際の電話番号等、平常用暗証番号よりも容易に想像できるような番号であってもよい。これにより、救助する管理者や他の救助者が比較的容易に住居内へ入り、安否を確認することが可能となる。上記緊急用暗証番号を用いる場合には、錠部１２Ａが識別符号送信部１２７Ａを有さない構成としてもよい。
【００７０】
識別符号送信部１２７Ａは、通知部１３Ａと通信可能に構成され、制御部１２３Ａが生成した緊急用暗証番号を通知部１３Ａへ送信する。識別符号送信部１２７Ａは、室外側ケースに格納された送受信器によりその機能が発揮されてもよく、当該送受信器は、第２の受信部１１２の機能を発揮する送受信器と同一の送受信器であってもよい。通信手段としては特に限定されないが、例えば、Bluetooth（登録商標）、Wi Fi（登録商標）等の近距離無線通信を用いることができる。
【００７１】
通知部１３Ａは、対象者の健康上の異常に加えて、緊急用暗証番号を救助者に電子メールで通知する。緊急用暗証番号は、対象者が健康上異常である旨の電子メールで送信してもよいし、別の電子メールで送信してもよい。これにより、電子メールを受けた管理者、及び当該管理者から依頼された救助者が、緊急モードに移行した錠部１２Ａを解錠することが可能となる。
【００７２】
（安否確認システムの動作例）
図５は、本変形例に係る安否確認システム１００Ａの動作例を示すフロー図である。
【００７３】
錠部１２Ａは、平常モードに設定されており、平常用暗証番号（例えば「１２３４５６」とする）によって解錠可能な状態にある。まず、受信部１１は、対象者に装着されたバイタルサインセンサ１５から、対象者の健康上の異常を知らせる緊急信号を受信する（ＳＴ２０１）。
【００７４】
受信部１１は、緊急対応部１０の錠部１２（制御部１２３）及び通知部１３に対して緊急信号を送信する（ＳＴ２０２）。これにより、緊急対応部１０Ａが、平常モードから緊急モードに移行する（ＳＴ２０３）。
【００７５】
すなわち、錠部１２Ａは、第２の入力情報に基づいて解錠できる状態となり、緊急用暗証番号を生成する（ＳＴ２０３−１）。識別符号送信部１２７Ａは、緊急モードに移行した錠部１２Ａが生成した緊急用暗証番号（例えば「１２３４」とする）を通知部１３Ａへ送信する（ＳＴ２０３−２）。通知部１３Ａは、携帯電話回線網を介して、対象者の健康上の異常、対象者の携帯情報端末の所在地及び緊急用暗証番号を、住居外の所定の管理者の端末に電子メールで通知する（ＳＴ２０３−３）。この電子メールを受信した管理者は、救急隊に通報し、救助を要請することができる。管理者は、救急隊に対し、対象者の居住地と、緊急用暗証番号「１２３４」によって扉が解錠可能な旨等を伝える。
【００７６】
対象者の住居に到着した救急隊は、錠部１２Ａの入力部２２２Ａのテンキーを用いて緊急用暗証番号「１２３４」を入力する。これにより、錠部１２Ａは、緊急用暗証番号を含む第２の入力情報に基づいて扉を解錠する（ＳＴ２０４）。
【００７７】
以上のように、本変形例によれば、錠部１２Ａがテンキー錠であることから、管理者が受け取った緊急用暗証番号を救助隊等に伝えることで、管理者のみならず、管理者以外の救助隊等によっても緊急モードでの解錠が可能となる。したがって、管理者の所在地が対象者の住居から遠く離れている場合であっても、迅速な安否確認及び救助が可能となる。
【００７８】
また、緊急モードにおいて、平常時に用いる平常用暗証番号とは異なる緊急用暗証番号を用いて解錠するため、セキュリティレベルを維持しつつ、安否確認が可能となる。さらに、異常が通知される都度、緊急用暗証番号を送信するため、緊急用暗証番号の機密性を高め、高いセキュリティレベルを担保することができる。さらに、緊急用暗証番号の忘失等によって解錠できない事態を防止することができる。
【００７９】
加えて、錠部１２Ａが電池式で構成されるため、容易に後付けすることができ、本システムの導入が容易になる。さらに、緊急信号の受信時にのみ安否確認が可能な緊急モードへ移行するため、維持コストを抑制しつつ、対象者を常時見守ることが可能な安否確認システム１００Ａを提供することができる。
【００８０】
［変形例１−２］
（安否確認システムの構成）
図６は、変形例１−２に係る安否確認システムを示すブロック図である。同図に示すように、安否確認システム１００Ｂは、受信部１１と、緊急対応部１０Ｂとを備える。緊急対応部１０Ｂは、錠部１２Ｂと、通知部１３Ｂとを有する。本変形例は、上述の実施形態と異なり、錠部１２Ｂが、管理者の携帯情報端末にインストールされた緊急解錠アプリケーションプログラム（以下、緊急解錠アプリケーションと略す）によって遠隔操作で解錠可能となる。
【００８１】
錠部１２Ｂは、本変形例において、遠隔操作可能な電気錠システムとして構成され、所定のＩＤデータ（入力情報）を無線通信により受信し、照合することで、解錠可能に構成される。通信方法としては、例えば、所定周波数の電磁波を送受信するものとすることができる。
【００８２】
錠部１２Ｂは、錠部１２と同様に、平常モードで平常用ＩＤデータ（第１の入力情報）に基づいて扉を解錠し、緊急モードで平常用ＩＤデータとは異なる緊急用ＩＤデータ（第２の入力情報）に基づいて扉を解錠する。平常用ＩＤデータは、例えば対象者が保管する無線型施解錠キーから送信される。一方、緊急用ＩＤデータは、例えば管理者の携帯情報端末にインストールされた緊急解錠アプリケーションが動作することで送信される。
【００８３】
緊急解錠アプリケーションは、予め管理者の携帯情報端末にダウンロードされていてもよい。この緊急解錠アプリケーションは、ダウンロード時にロックが掛けられており、通知部１３Ｂによってロック解除のキーやパスワードが送信されるように構成されてもよい。あるいは、緊急解錠アプリケーションは、通知部１３Ｂによって管理者の携帯情報端末に送信されてもよいし、通知部１３Ｂによってダウンロード可能なＷｅｂサイト等のリンクが通知され、インストール可能としてもよい。
【００８４】
なお、平常用ＩＤデータは、無線型キーに限定されず、対象者の携帯情報端末にインストールされた解錠アプリケーションプログラムが動作することで送信されてもよいし、緊急用ＩＤデータは、管理者が保管する緊急用無線型キーから送信されてもよい。
【００８５】
錠部１２Ｂは、電気錠１２１Ｂと、入力部１２２Ｂと、制御部１２３Ｂと、バッテリ１２４Ｂとを有する。電気錠１２１Ｂ及びバッテリ１２４Ｂは、いずれも電気錠１２１及びバッテリ１２４と同様に構成されるため、説明を省略する。
【００８６】
入力部１２２Ｂは、無線型施解錠キーに書き込まれた情報を読み取ることが可能に構成され、例えば、送受信器として構成される。
【００８７】
制御部１２３Ｂは、平常モードにおいて、無線型施解錠キー等に書き込まれた平常用ＩＤデータに基づいて解錠するように電気錠１２１Ｂの駆動を制御し、緊急モードにおいて、緊急解錠アプリケーションによって送信される緊急用ＩＤデータに基づいて解錠するように電気錠１２１Ｂを制御する。制御部１２３Ｂは、第２の受信部１１２と通信可能に構成され、第２の受信部１１２から緊急信号を受信した場合、平常モードから緊急モードに切り替え可能に構成される。制御部１２３Ｂは、例えばＣＰＵやＲＯＭ、ＲＡＭ、その他の半導体メモリ等の構成を含む。
【００８８】
通知部１３Ｂは、受信部１１の緊急信号の受信に基づいて平常モードから緊急モードに移行し、緊急モードで対象者の健康上の異常を住居外の所定の管理者へ通知することが可能に構成される。さらに通知部１３Ｂは、本変形例において、管理者の携帯情報端末に緊急解錠アプリケーションを送信してもよいし、あるいは、緊急解錠アプリケーションのダウンロードが可能なＷｅｂサイト等のリンクを通知してもよい。これにより、管理者が緊急解錠アプリケーションをインストールし、緊急モードである錠部１２Ｂを解錠することが可能となる。
【００８９】
（安否確認システムの動作）
図７は、本変形例に係る安否確認システム１００Ｂの動作例を示すフロー図である。
【００９０】
緊急対応部１０Ｂは、平常モードに設定されており、平常用ＩＤによって解錠可能な状態にある。まず、受信部１１は、対象者に装着されたバイタルサインセンサ１５から、対象者の健康上の異常を知らせる緊急信号を受信する（ＳＴ３０１）。
【００９１】
続いて、受信部１１は、緊急対応部１０Ｂの錠部１２Ｂ（制御部１２３Ｂ）及び通知部１３Ｂに対して緊急信号を送信する（ＳＴ３０２）。これにより、緊急対応部１０Ｂが、平常モードから緊急モードに移行する（ＳＴ３０３）。
【００９２】
すなわち、錠部１２Ｂが第２の入力情報に基づいて解錠できる状態となり（ＳＴ３０３−１）、通知部１３Ｂは、携帯電話回線網を介して、対象者の健康上の異常、対象者の携帯情報端末の所在地、及び緊急解錠アプリケーションのロックを解除するキー等を住居外の所定の管理者の端末に電子メールで通知する（ＳＴ３０３−２）。また、この電子メールを受信した管理者は、救急隊に通報し、救助を要請することができる。管理者は、救急隊に対し、救急隊の到着までに解錠する旨を伝える。
【００９３】
管理者は、緊急解錠アプリケーションのロックを解除し、緊急用ＩＤを出力する。これにより、錠部１２Ａが緊急用ＩＤを認証し、これに基づいて解錠する（ＳＴ３０４）。したがって、救急隊が対象者の住居に到着した際には扉が解錠しており、内部に入って対象者の安否確認及び救助が可能となる。
【００９４】
以上のように、本変形例によれば、緊急モードにおいて管理者による錠部１２Ｂの遠隔操作が可能であることから、管理者の所在地が対象者の住居から離れていたり、あるいは対象者の住居に急行できない場合であっても、対象者の住居の解錠が可能である。したがって、救助隊に救助を要請し、かつ対象者の住居を解錠することで、迅速な安否確認及び救助が可能となる。
【００９５】
また、緊急モードにのみ、遠隔操作による解錠が可能となるため、セキュリティレベルを維持しつつ、安否確認が可能となる。さらに、異常が通知される際に緊急解錠アプリを送信できるため、緊急用ＩＤデータの管理が容易になり、紛失等によって解錠できない事態を防止することができる。
【００９６】
加えて、緊急信号の受信時にのみ安否確認が可能な緊急モードへ移行するため、維持コストを抑制しつつ、対象者を常時見守ることが可能な安否確認システム１００Ｂを提供することができる。
【００９７】
［変形例１−３］
（安否確認システムの構成）
図８は、変形例１−３に係る安否確認システムを示す模式図であり、図９はブロック図である。図９に示すように、安否確認システム１００Ｃは、受信部１１Ｃと、緊急対応部１０Ｃとを備える。緊急対応部１０Ｃは、錠部１２Ｃと、通知部１３Ｃとを有する。本変形例は、上述の実施形態と異なり、バイタルサインセンサ１５からの緊急信号が、携帯端末Ｍ１を介さずに、扉Ｄに設けられた制御盤Ｓ内の受信部１１Ｃ及び通知部１３Ｃに送信される。また、通知部１３Ｃが、有線又は無線により警備会社等の所有する端末Ｍ３と通信可能に構成される。
【００９８】
なお、図８では、制御盤Ｓ内には錠部１２が配置され、室内側ケースを別途有さない例を示したが、室内側ケースを有してもよい。あるいは、制御盤Ｓは、扉Ｄの近傍に配置されていてもよい。
【００９９】
錠部１２Ｃは、施解錠キーに含まれる所定のＩＤデータ（入力情報）を、Bluetooth（登録商標）、Wi Fi（登録商標）等の近距離無線通信等により受信し、照合することで、解錠可能に構成される。施解錠キーは、例えば、非接触型ＩＣチップやＲＦＩＤタグを搭載した非接触型ＩＣカードなどの各種カード状記憶媒体、リモコンキー、対象者が所有する携帯情報端末などで構成される。
【０１００】
錠部１２Ｃは、平常モードで平常用ＩＤデータ（第１の入力情報）に基づいて扉を解錠し、緊急モードで平常用ＩＤデータとは異なる緊急用ＩＤデータ（第２の入力情報）に基づいて扉を解錠する。すなわち、本変形例に係る施解錠キーとしては、平常用ＩＤデータを含み住居に住む対象者等が管理する平常用キーと、緊急用ＩＤを含み所定の管理者が管理する緊急用キーの２種類の施解錠キーが使用される。
【０１０１】
錠部１２Ｃは、電気錠１２１Ｃと、入力部１２２Ｃと、制御部１２３Ｃと、バッテリ１２４Ｃとを有する。電気錠１２１Ｃ、入力部１２２Ｃ及びバッテリ１２４Ｃは、いずれも電気錠１２１、入力部１２２及びバッテリ１２４と同様に構成されるため、説明を省略する。
【０１０２】
制御部１２３Ｃは、平常モードにおいて、平常用キーに書き込まれた平常用ＩＤデータに基づいて解錠するように電気錠１２１Ｃの駆動を制御し、緊急モードにおいて、緊急用キーに書き込まれた緊急用ＩＤデータに基づいて解錠するように電気錠１２１Ｃを制御する。制御部１２３Ｃは、受信部１１Ｃと通信可能に構成され、受信部１１Ｃから緊急信号を受信した場合、平常モードから緊急モードに切り替え可能に構成される。制御部１２３Ｃは、例えばＣＰＵやＲＯＭ、ＲＡＭ、その他の半導体メモリ等の構成を含む。
【０１０３】
受信部１１Ｃは、住居内の安否確認対象者について、健康上の異常に基づいて出力された緊急信号を受信する。受信部１１Ｃは、緊急信号を送信するバイタルサインセンサ１５と、例えば、Bluetooth（登録商標）、Wi Fi（登録商標）等の近距離無線通信を用いて通信可能に構成される。受信部１１Ｃは、本変形例において、制御盤Ｓ内に配置され、制御部１２３Ｃ及び通知部１３Ｃと接続される。
【０１０４】
通知部１３Ｃは、受信部１１Ｃの緊急信号の受信に基づいて平常モードから緊急モードに移行し、緊急モードで対象者の健康上の異常を住居外の所定の管理者へ通知することが可能に構成される。通知部１３Ｃは、インターネットや電話回線等の通信網を利用して管理者へ情報を送信することができる。本変形例において、所定の管理者は、例えば、対象者と契約している警備会社とすることができる。
【０１０５】
（安否確認システムの動作）
安否確認システム１００Ｃの動作例を、図３を参照して説明する。
【０１０６】
緊急対応部１０Ｃは、平常モードに設定されており、平常用ＩＤによって解錠可能な状態にある。まず、受信部１１Ｃは、対象者に装着されたバイタルサインセンサ１５から、対象者の健康上の異常を知らせる緊急信号を受信する（ＳＴ１０１）。受信部１１Ｃは、緊急対応部１０Ｃの錠部１２Ｃ（制御部１２３Ｃ）及び通知部１３Ｃに対して緊急信号を送信する（ＳＴ１０２）。これにより、緊急対応部Ｃが、平常モードから緊急モードに移行する（ＳＴ１０３）。
【０１０７】
すなわち、錠部１２Ｃが第２の入力情報に基づいて解錠できる状態となり（ＳＴ１０１−１）、通知部１３Ｃは、インターネット回線網又は電話回線網を介して、対象者の健康上の異常を、警備会社等の所定の管理者の端末に電子メールで通知する（ＳＴ１０３−２）。また、この電子メールを受信した管理者は、緊急用キーを持参し、対象者の住居に急行する。
【０１０８】
対象者の住居に到着した管理者は、緊急用キーを錠部１２Ｃの入力部１２２Ｃに近づける。これにより、緊急用ＩＤに基づいて錠部１２Ｃが解錠する（ＳＴ１０４）。したがって、管理者が対象者の住居内に入り、対象者を救助することができる。また管理者は、必要に応じ、救急隊に通報し、救助を要請することもできる。
【０１０９】
以上のように、本変形例によれば、緊急用キーを所持している管理者によって迅速な安否確認及び救助が可能となる。したがって、対象者の救命率の向上に寄与することができる。
【０１１０】
さらに、緊急モードにおいて、平常時に用いる平常用キーとは異なる緊急用キーによって解錠するため、緊急用キーを所持する所定の管理者のみが扉を解錠することができる。したがって、セキュリティレベルを維持しつつ、安否確認が可能となる。
【０１１１】
また、安否確認システム１００Ｃは、対象者が携帯情報端末を所有していない場合であっても、容易に適用可能とすることができる。
【０１１２】
［変形例１−４］
図１０は、変形例１−４に係る安否確認システムを示すブロック図である。同図に示すように、安否確認システム１００Ｄは、受信部１１と、緊急対応部１０Ｄと、異常検出部１６Ｄとを備える。緊急対応部１０Ｄは、錠部１２Ｄと、通知部１３Ｄとを有する。本変形例では、緊急信号を受信しない場合であっても、所定時間室内側からの解錠操作がない場合は、対象者に異常が生じたとして緊急モードに移行する。
【０１１３】
錠部１２Ｄは、本変形例において、所定の識別符号（暗証番号）の入力により施解錠が可能なテンキー錠として構成される。錠部１２Ｄは、錠部１２と同様に、平常モードで第１の入力情報に基づいて扉を解錠し、緊急モードで第１の入力情報とは異なる第２の入力情報に基づいて扉を解錠する。第１の入力情報は、第１の識別符号（平常用暗証番号）を含み、第２の入力情報は、平常用暗証番号とは異なる第２の識別符号（緊急用暗証番号）を含む。
【０１１４】
錠部１２Ｄは、電気錠１２１Ｄと、入力部１２２Ｄと、制御部１２３Ｄと、バッテリ１２４Ｄと、サムターン１２５Ｄと、異常信号受信部１２６Ｄと、識別符号送信部１２７Ｄとを有する。
【０１１５】
図１１Ａは、錠部１２Ｄの一部が配置された扉の室外側ケースＣ１を示す模式図である。室外側ケースＣ１の表面には、テンキーを含む入力部１２２Ｄが設けられる。室外側ケースＣ１内には、電気錠１２１Ｄ、制御部１２３Ｄ、バッテリ１２４Ｄ、異常信号受信部１２６Ｄ及び識別符号送信部１２７Ｄが配置される。電気錠１２１Ｄ及びバッテリ１２４Ｄは、いずれも電気錠１２１及びバッテリ１２４と同様に構成されるため、説明を省略する。なお、図１１Ａ中の符号Ｌ１は扉のレバーハンドルである。
【０１１６】
入力部１２２Ｄは、変形例１の入力部１２２Ｄと同様に構成され、例えば、暗証番号を入力するためのテンキーを含む複数の操作ボタンを有し、これらの操作ボタンの入力操作に基づく操作情報を、制御部１２３Ｄに出力する。
【０１１７】
サムターン１２５Ｄは、扉に取り付けられた室内側ケースＣ２（図１１Ｂ参照）に設けられ、ツマミを回すことで暗証番号を用いずに扉の施解錠が可能に構成される。具体的には、電気錠１２１Ｄのデッドボルトが引き込まれた解錠状態からサムターン１２５Ｄのツマミを回すと、デッドボルトが突出して扉枠の係止穴に係止し、施錠される。またサムターン１２５Ｄは、電動サムターンとして構成されてもよい。その場合は、モータやソレノイド等を含む駆動装置によってツマミの回動が可能に構成される。
【０１１８】
制御部１２３Ｄは、平常モードにおいて、平常用暗証番号の入力に基づいて解錠するように電気錠１２１Ａの駆動を制御し、緊急モードにおいて、緊急用暗証番号の入力に基づいて解錠するように電気錠１２１Ｄを制御する。また、異常信号受信部１２６Ｄからの異常信号の受信に基づき、解錠するようにサムターン１２５Ｄの駆動を制御する。制御部１２３Ｄは、例えばＣＰＵやＲＯＭ、ＲＡＭ、その他の半導体メモリ等の構成を含む。
【０１１９】
異常信号受信部１２６Ｄは、後述する異常検出部１６Ｄからの異常信号を受信し、制御部１２３Ｄに異常信号の受信に基づく信号を制御部１２３Ｄに送信する。
【０１２０】
識別符号送信部１２７Ｄは、識別符号送信部１２７Ａと同様に構成され、制御部１２３Ｄが生成した緊急用暗証番号を通知部１３Ｄへ送信する。
【０１２１】
通知部１３Ｄは、対象者の健康上の異常に加えて、識別符号送信部１２７Ｄが受信した緊急用暗証番号を救助者に電子メールで通知する。緊急用暗証番号は、対象者が健康上異常である旨の電子メールで送信してもよいし、別の電子メールで送信してもよい。これにより、電子メールを受けた管理者、及び当該管理者から依頼された他の救助者が、緊急モードに移行した錠部１２Ｄを解錠することが可能となる。
【０１２２】
異常検出部１６Ｄは、錠部１２Ｄの住居内側からの施錠操作を検出し、施錠操作を検出してからの計測時間が設定時間を経過したときに、異常信号を錠部１２Ｄに出力する。異常検出部１６Ｄは、サムターン１２５Ｄと接続された室内側ケースＣ２内に配置される。
【０１２３】
図１１Ｂは、異常検出部１６Ｄが配置された室内側ケースＣ２を示す模式図である。図１１Ｂ及び図１０に示すように、異常検出部１６Ｄは、具体的には、検出部１６１Ｄと、計時部１６２Ｄと、信号出力部１６３Ｄとを有する。なお、図１１Ｂ中の符号Ｌ２は扉のレバーハンドル、符号Ｄはデッドボルトである。
【０１２４】
検出部１６１Ｄは、サムターン１２５Ｄの操作で作動するスイッチ部材を含む。具体的には、検出部１６１Ｄは、リードスイッチ、マイクロスイッチ等の機械的なスイッチタッチセンサ等であってもよい。
【０１２５】
計時部１６２Ｄは、タイマー回路を含み、検出部１６１Ｄによる施錠操作の検出からの時間を計時する。そして、所定の設定時間が経過した場合に、信号出力部１６３Ｄへ所定の設定時間が経過した旨の信号を送信する。所定の設定時間としては、例えば、３６時間、４８時間など、任意の時間を設定することができる。
【０１２６】
信号出力部１６３Ｄは、計時部１６２Ｄからの所定の設定時間が経過した旨の信号に基づいて、錠部１２Ｄの異常信号受信部１２６Ｄへ異常信号を送信する。
【０１２７】
なお、異常検出部１６Ｄは、上記所定の設定時間を選択的に切り替える切替スイッチを有していてもよい。これにより、設定時間を可変とすることができる。
【０１２８】
上記構成により、錠部１２Ｄは、緊急信号及び異常信号のうちの少なくとも一方の受信に基づいて平常モードから緊急モードに移行する。これにより、対象者に健康上の異常が生じて外出が困難になった際、仮にバイタルサインセンサ１５からの緊急信号が出力されなくても、異常信号が出力され、対象者を救出することが可能となる。
【０１２９】
本変形例の他の構成例として、緊急信号によって切り替えられた緊急モードと、異常信号によって切り替えられた緊急モードとで、異なる解錠方法を採用してもよい。すなわち、錠部１２Ｄが、緊急信号の受信に基づいて第１の緊急モードに切り替えられ、異常信号の受信に基づいて第１の緊急モードとは異なる第２の緊急モードに移行する。緊急信号による第１の緊急モードは、異常信号による第２の緊急モードよりも緊急性、すなわち安否確認の必要性が高いため、解錠しやすい設定とすることができる。
【０１３０】
具体的に、第１の緊急モードにおいては、例えば平常用暗証番号と異なる第１の緊急用暗証番号を含む第２の入力情報に基づいて扉が解錠され、第２の緊急モードにおいては、例えば平常用暗証番号及び第１の緊急用暗証番号とは異なる第２の緊急用暗証番号を含む第３の入力情報に基づいて扉が解錠される。具体的に、第１の緊急用暗証番号としては、予め設定されている番号でもよく、部屋番号等であってもよい。第２の緊急用暗証番号としては、例えば、変形例１の緊急用暗証番号と同様に、異常信号を受信してから錠部１２Ｄの制御部１２３Ｄが生成するものであってもよい。
【０１３１】
これにより、対象者の生命の危険性がより高い緊急信号の受信時には、比較的容易に解錠可能とし、対象者の生命の危険の可能性がある異常信号の受信時には、所定の管理者、又は管理者から連絡を受けた救助者のみ、解錠可能とすることができる。したがって、緊急性に応じてセキュリティレベルを調整し、安否確認とセキュリティとの双方の観点を満足させることができる。
【０１３２】
あるいは、第１の緊急モードにおいては、緊急信号の受信に基づいて電気錠が解錠されるように構成されてもよい。これにより、緊急信号受信時には、よりセキュリティレベルを下げ、安否確認を容易にし、救命率を向上させることが可能となる。
【０１３３】
［変形例１−５］
（安否確認システムの構成）
図１２は、変形例１−５に係る安否確認システムを示すブロック図である。同図に示すように、安否確認システム１００Ｅは、受信部１１Ｅと、緊急対応部１０Ｅと、異常検出部１６Ｅとを備える。緊急対応部１０Ｅは、錠部１２Ｅと、通知部１３Ｅとを有する。安否確認システム１００Ｅは、バイタルサインセンサから発せられる信号を緊急信号として受信する構成ではなく、所定時間室内側からの解錠操作がない場合に発せられる信号を緊急信号として受信する。
【０１３４】
錠部１２Ｅは、錠部１２と同様に、平常モードで平常用ＩＤデータに基づいて扉を解錠し、緊急モードで緊急用ＩＤデータに基づいて扉を解錠する。
【０１３５】
錠部１２Ｅは、電気錠１２１Ｅと、入力部１２２Ｅと、制御部１２３Ｅと、バッテリ１２４Ｅと、サムターン１２５Ｅとを有する。電気錠１２１Ｅ、入力部１２２、制御部１２３Ｅ及びバッテリ１２４が室外側ケース内に配置される。サムターン１２５は、室内側ケースに配置される。電気錠１２１Ｅ、入力部１２２Ｅ及びバッテリ１２４Ｅは、それぞれ電気錠１２１、入力部１２２及びバッテリ１２４と同様に構成されるため、説明を省略する。
【０１３６】
サムターン１２５Ｅは、サムターン１２５Ｄと同様に構成される。すなわち、サムターン１２５Ｅは、ツマミを回すことで室内側から扉の施解錠が可能に構成される。なお、サムターン１２５Ｅは、電動サムターンとして構成されてもよい。
【０１３７】
制御部１２３Ｅは、制御部１２３と同様に、平常モードにおいて、平常用ＩＤデータの入力に基づいて解錠するように電気錠１２１Ｅの駆動を制御し、緊急モードにおいて、緊急用ＩＤデータの入力に基づいて電気錠１２１Ｅの駆動を制御する。制御部１２３Ｅは、例えばＣＰＵやＲＯＭ、ＲＡＭ、その他の半導体メモリ等の構成を含む。
【０１３８】
異常検出部１６Ｅは、変形例１−４の異常検出部１６Ｄと同様の概略構成を有する。すなわち、異常検出部１６Ｅは、錠部１２Ｅの住居内側からの施錠操作を検出し、施錠操作を検出してからの計測時間が設定時間を経過したときに、緊急信号を受信部１１Ｅに出力する。
【０１３９】
受信部１１Ｅは、変形例１−４の異常信号受信部１２６Ｄと同様に、住居内の安否確認対象者の健康上の異常に基づいて異常検出部１６Ｅから出力された緊急信号を受信し、制御部１２３Ｅに異常信号の受信に基づく信号を送信する。加えて、受信部１１Ｅは、異常信号を通知部１３へ送信する。
【０１４０】
通知部１３Ｅは、通知部１３Ｃと同様の概略構成を有し、受信部１１Ｅの緊急信号の受信に基づいて平常モードから緊急モードに移行し、緊急モードで対象者の健康上の異常を住居外の所定の管理者へ通知することが可能に構成される。通知部１３Ｅは、インターネットや電話回線等の通信網を利用して管理者へ情報を送信することができる。本変形例において、所定の管理者は、例えば、対象者と契約している警備会社とすることができる。
【０１４１】
以上のように、本変形例によれば、錠部１２Ｅは、所定時間対象者の外出が無かった場合に、緊急信号を受信し、緊急モードに移行する。これにより、対象者の健康上の異常を管理者に通知し、安否確認を可能とすることができる。また、緊急モードにおいて、平常時に用いる平常用ＩＤデータとは異なる緊急用暗証番号を用いて解錠するため、セキュリティレベルを維持しつつ、安否確認が可能となる。
【０１４２】
［変形例１−６］
（安否確認システムの構成）
図１３は、変形例１−６に係る安否確認システムを示すブロック図である。同図に示すように、安否確認システム１００Ｆは、受信部１１と、緊急対応部１０Ｆと、インターホン機構１７Ｆとを備える。緊急対応部１０Ｆは、錠部１２Ｆを有する。本変形例は、緊急モード移行後に、対象者の住居へ急行した管理者がインターホン機構１７Ｆを操作することにより、錠部１２Ｆが解錠する。安否確認システム１００Ｆは、通知部を有さない構成であってもよい。
【０１４３】
インターホン機構１７Ｆは、対象者の住居外に設置された第１のインターホン部１７１Ｆと、上記住居内に設置された第２のインターホン部１７２Ｆとを有する。なお、ここでは、「住居」が一戸建て又は集合住宅の一室とし、「扉」は住居の玄関扉とする。
【０１４４】
第１のインターホン部１７１Ｆは、来訪者等の所定の入力操作により呼出信号の出力が可能に構成される。第１のインターホン部１７１Ｆは、当該住居の玄関に設置された玄関用子機であってもよい。この場合には、例えば呼出ボタンの押下や来訪者の検出等により、呼出信号の出力が可能であってもよい。
【０１４５】
第２のインターホン部１７２Ｆは、呼出信号の受信が可能に構成される。第２のインターホン部１７２Ｆは、例えば、図示しないスピーカ部を有しており、呼出信号の受信に伴い、呼出音等が出力可能であってもよい。あるいは、第１のインターホン部１７１Ｆが来訪者を撮像可能に構成されている場合には、来訪者が表示された画像を再生可能であってもよい。
【０１４６】
錠部１２Ｆは、本変形例において、施解錠キーに含まれる所定のＩＤデータ（入力情報）を、Bluetooth（登録商標）、Wi Fi（登録商標）等の近距離無線通信等により受信し、照合することで、解錠可能に構成される。施解錠キーは、例えば、非接触型ＩＣチップやＲＦＩＤタグを搭載した非接触型ＩＣカードなどの各種カード状記憶媒体、リモコンキー、対象者が所有する携帯情報端末などで構成される。
【０１４７】
錠部１２Ｆは、第１のインターホン部１７１Ｆと接続され、緊急モードにおいて、呼出信号を第２の入力情報と判定する。すなわち、平常モードで平常用ＩＤデータ（第１の入力情報）に基づいて扉を解錠し、緊急モードで第１のインターホン部１７１Ｆから出力された呼出信号を第２の入力情報と判定し、これに基づいて扉を解錠する。
【０１４８】
錠部１２Ｆは、電気錠１２１Ｆと、入力部１２２Ｆと、制御部１２３Ｆと、バッテリ１２４Ｆとを有する。電気錠１２１Ｆ、入力部１２２Ｆ及びバッテリ１２４Ｆは、いずれも電気錠１２１、入力部１２２及びバッテリ１２４と同様に構成されるため、説明を省略する。
【０１４９】
制御部１２３Ｆは、平常モードにおいて、平常用キーに書き込まれた平常用ＩＤデータに基づいて解錠するように電気錠１２１Ｆの駆動を制御し、緊急モードにおいて、呼出信号に基づいて解錠するように電気錠１２１Ｆを制御する。制御部１２３Ｆは、受信部１１と通信可能に構成され、受信部１１から緊急信号を受信した場合、平常モードから緊急モードに切り替え可能に構成される。制御部１２３Ｆは、例えばＣＰＵやＲＯＭ、ＲＡＭ、その他の半導体メモリ等の構成を含む。
【０１５０】
以上より、本変形例によれば、緊急モードにおいて呼出信号に基づいて解錠が可能となる。したがって、対象者の住居への来訪者が第１のインターホン部により来訪時の入力操作を行うことで、容易に解錠され、住居内に入り、安否確認及び救助が可能となる。
【０１５１】
あるいは、安否確認システム１００Ｆが通知部を有する場合には、管理者が急行し、部屋番号の入力等の入力操作を行うことで、容易に安否確認等が可能となる。
【０１５２】
［変形例１−７］
安否確認システム１００Ｆは、住居が存する集合住宅に施解錠可能な共用玄関扉が設けられていた場合にも適用可能である。すなわち、安否確認システム１００Ｆにおいて、「住居」が集合住宅の一室の場合に、第１のインターホン部１７１Ｆが共用玄関に設置された共用玄関用親機であってもよい。この場合、第１のインターホン部１７１Ｆは、テンキー及び呼出ボタン等を含む図示しない操作部を有し、来訪者が部屋番号を入力した後、呼出ボタンを押下等することで、呼出信号の出力が可能であってもよい。
【０１５３】
また、集合住宅の共用玄関扉に、錠部１２Ｆ及び第２の受信部１１２と同様の構成の錠部及び第２の受信部が設けられていてもよい。すなわち、緊急対応部１０Ｆは、集合住宅の一室の玄関扉に設けられる第１の錠部と、集合住宅の共用玄関扉に設けられる第２の錠部との２つの錠部を有し、受信部は、第１の受信部、第１の錠部に接続される第２の受信部に加え、第２の錠部に接続される第３の受信部とを有することとなる。これにより、緊急信号の受信により、２つの錠部が緊急モードに移行し、呼出信号の出力により、集合住宅の共用玄関扉及び住居の玄関扉の双方が解錠される。したがって、共用玄関が施錠されている集合住宅であっても、本システムを適用することが可能となる。
【０１５４】
［変形例１−８］
図１４は、変形例１−８に係る安否確認システムを示すブロック図である。同図に示すように、安否確認システム１００Ｇは、受信部１１と、緊急対応部１０と、さらに切替通知部１８Ｇとを備える。緊急対応部１０は、錠部１２と、通知部１３とを有する。
【０１５５】
切替通知部１８Ｇは、緊急対応部１０が緊急モードへ切り替えられた場合に、緊急モードに切り替えられた旨を対象者に通知する。切替通知部１８Ｇは、例えば錠部１２の制御部１２３と、有線又は無線で接続される。切替通知部１８Ｇは、具体的には、対象者の住居内に配置された警報ブザーを含んでいてもよい。あるいは、対象者の携帯情報端末にインストールされた安否確認アプリケーションが動作することで実現され、携帯情報端末端末から電子音が出力されるように構成されてもよい。
【０１５６】
本変形例によれば、緊急モードへ切り替えられた旨を対象者へ通知することができる。このため、仮に緊急信号が誤動作で出力され、対象者の健康上の異常がない場合に緊急モードへ切り替えられた場合には、その旨を対象者へ通知し、緊急モードを解除する等の措置が可能となる。したがって、誤動作によるセキュリティレベルの低下を防止することができる。
【０１５７】
［変形例１−９］
安否確認システム１００，１００Ａ、１００Ｂ、１００Ｃ，１００Ｄ，１００Ｅ，１００Ｇは、安否確認システム１００Ｆと同様に、住居が存する集合住宅に施解錠可能な共用玄関扉が設けられていた場合にも適用可能である。すなわち、錠部が集合住宅の一室の玄関扉を施開錠する第１の錠部と、集合住宅の共用玄関の扉を施解錠する第２の錠部とを有してもよい。これにより、緊急信号の受信により、第１及び第２の錠部がそれぞれ緊急モードに切り替えられ、呼出信号の出力により、集合住宅の共用玄関扉及び住居の玄関扉の双方が解錠される。第１の錠部は、錠部１２，１２Ａ，１２Ｂ，１２Ｃ，１２Ｄ，１２Ｅ，１２Ｇと同様の構成とすることができる。第２の錠部は、第１の錠部と同様の構成でもよいし、異なる構成でもよい。また、受信部１１，１１Ｃは、第１の受信部、第１の錠部に接続された第２の受信部に加えて、第２の錠部と接続された第３の受信部を有してもよい。本変形例により、共用玄関が施錠されている集合住宅であっても、本実施形態の安否確認システムを適用することが可能となる。
【０１５８】
［他の変形例］
本実施系形態及び各変形例の各要素は、上述の構成に限定されず、実施が可能である限り以下の構成に変更することが可能である。
（受信部）
受信部は、緊急信号を受信できる構成であれば特に限定されず、上述の第１及び第２の受信部を有する構成でも、受信部１１Ｃと同様に錠部と接続された操作盤等に配置される構成でも、他の構成でもよい。また通信手段も緊急信号等に応じて適宜決定することができ、例えば、Bluetooth（登録商標）、Wi Fi（登録商標）、赤外線通信等の近距離無線通信の他、携帯電話通信網、固定電話通信網等を利用することができる。第２の受信部を設ける場合には、例えば通信手段として、Bluetooth（登録商標）、Wi Fi（登録商標）、赤外線通信等の近距離無線通信の他、携帯電話通信網、固定電話通信網、インターホン回線、光ファイバ等を用いた有線通信網等を適宜利用することができる。
【０１５９】
緊急信号を送信する構成としては、バイタルサインセンサ、異常検出部に限定されず、対象者の動作が所定時間検出できない場合に緊急信号を送信する他の構成であってもよい。例えば、赤外線、超音波、可視光等により対象者の動作を検出する人感センサや、静電センサを用いてもよい。これらのセンサは、例えばマット（センサーマット）、床、壁等、対象者が日常生活する場所に設けることができる。あるいは、ガスメータを用いて、所定時間以上ガスの使用がない場合に、緊急信号を送信してもよい。また、ポットその他の日常使用する家電製品に無線通信器等を搭載し、所定時間以上使用がない場合に緊急信号を送信してもよい。
【０１６０】
また、緊急信号を送信する構成として、対象者自身が出力を制御する構成であってもよい。例えば押下により緊急信号が出力される通報ボタンや、携帯電話回線網、固定電話回線網を利用して緊急信号を送信する構成であってもよい。
【０１６１】
（錠部）
錠部は、上述のように、電池式の電気錠装置でも、遠隔操作や通信が可能な電気錠システムでもよい。また、サムターンについて言及しなかった構成についても、サムターンを有していてもよい。
【０１６２】
錠部は、平常モードから緊急モードへ移行した後、所定のタイミングで平常モードへ再度移行してもよい。上記所定のタイミングは、例えば、緊急モードにおいて解錠してから所定時間経過した後や、同モードで解錠してから施錠した後、あるいは制御盤や室外側ケース等に設けられたボタンやスイッチを押下した後、等であってもよい。
【０１６３】
緊急モードが解除され平常モードに再移行する際、錠部は、以下のような処理が可能である。例えば、錠部が電動サムターンを有する場合において、自動的に施錠するようにしてもよい。これにより、安否確認及び救助した後は自動的に施錠され、防犯性を高めることができる。あるいは、錠部は、自動的に施錠された後、平常用ＩＤデータの入力に基づいて、解錠されている場合は施錠され、施錠されている場合は解錠されるように構成されてもよい。これにより、平常用ＩＤデータを出力する非接触型ＩＣカード等を所持する、対象者やその親族等によっては施解錠が可能となる。なお、平常用ＩＤデータの入力だけでなく、室内側からのサムターンの回動操作によっても施解錠が可能となる。
【０１６４】
第２の入力情報は上述の内容に限定されず、例えば、第２の入力情報が所定の生体情報であり、生体（バイオメトリクス）認証を利用して解錠するようにしてもよい。具体的には、錠部が、所定の管理者や救助し得る他の救助者の指紋、眼球の虹彩、静脈パターン、音声、顔等の生体情報を記憶する記憶部を有してもよい。緊急モードにおいては、入力部がこれらの生体情報の入力を受け付け、制御部が記憶部に記憶された生体情報と一致していると判定した場合に、扉が解錠され得る。
【０１６５】
識別符号は、暗証番号に限定されず、例えば、アルファベットや数字を組み合わせたパスワード等を採用してもよい。この場合、入力部が、これらのパスワードを構成する文字等を入力可能に構成されればよい。
【０１６６】
錠部は電気錠に限定されず、鍵を用いて施解錠を行う一般の錠装置を採用してもよい。錠部が一般の錠装置の場合には、例えば錠部は、鍵により扉の施解錠が可能な錠装置と、当該鍵の合鍵が収容されたキーボックスとを有し、緊急信号の受信により、キーボックスが開き、上記合鍵を取り出して扉を解錠することが可能に構成されてもよい。
【０１６７】
（通知部）
通知部は、通信手段として携帯電話通信網を利用することができ、例えば管理者の携帯電話機に電子メールを送信して通知する構成の他、管理者の携帯電話機に音声信号を送信し、通知する構成であってもよい。あるいは、インターネット通信網を利用して、例えば管理者の情報端末に電子メールを送信して通知する構成であってもよい。また、固定電話通信網を利用して、管理者の自宅等の固定電話に音声信号を送信して通知する構成であってもよい。
【０１６８】
＜第２の実施形態＞
（安否確認システムの構成）
図１５は、本発明の第２の実施形態に係る安否確認システムを示すブロック図である。安否確認システム２００は、受信部２１と、緊急対応部２０とを備える。緊急対応部２０は、錠部２２と、通知部２３とを有する。本実施形態に係る安否確認システム２００は、第１の実施形態と異なり、緊急信号の受信により、電気錠が即解錠することが可能となる。なお、以下の説明において、上述の実施形態と同様の構成については同一の符号を付し、説明を簡略化する。
【０１６９】
安否確認システム２００の受信部２１と、通知部２３とは、例えば、携帯電話機やスマートフォン等の対象者の携帯情報端末に予めインストールされた安否確認アプリケーションが動作することで実現される。
【０１７０】
本実施形態においても、対象者は、図示しないバイタルサインセンサを装着している。
【０１７１】
受信部２１は、住居内の安否確認対象者について、健康上の異常に基づいて出力された異常信号を受信する。受信部２１は、受信部１１と同様に、携帯情報端末に搭載された送受信器によりその機能が発揮される第１の受信部２１１と、室外側ケースに格納された送受信器によりその機能が発揮された第２の受信部２１２とを有する。第１の受信部２１１は、異常信号を送信する図示しないバイタルサインセンサと通信可能に構成され、緊急信号を第２の受信部２１２に送信する。第２の受信部２１２は、第１の受信部２１１から緊急信号を受信して、緊急対応部２０の錠部２２に緊急信号を送信する。通信手段としては特に限定されないが、例えば、Bluetooth（登録商標）、Wi Fi（登録商標）等の近距離無線通信を用いることができる。
【０１７２】
錠部２２は、本変形例において、施解錠キーに含まれる所定のＩＤデータ（入力情報）を、Bluetooth（登録商標）、Wi Fi（登録商標）等の近距離無線通信等により受信し、照合することで、解錠可能に構成される。施解錠キーは、例えば、非接触型ＩＣチップやＲＦＩＤタグを搭載した非接触型ＩＣカードなどの各種カード状記憶媒体、リモコンキー、対象者が所有する携帯情報端末などで構成される。
【０１７３】
錠部２２は、例えば、平常モードで平常用ＩＤデータに基づいて扉を解錠し、緊急モードで自動的に扉を解錠する。
【０１７４】
錠部２２は、電気錠２２１と、入力部２２２と、制御部２２３と、バッテリ２２４と、サムターン２２５とを有する。電気錠２２１、入力部２２２、制御部２２３及びバッテリ２２４は、室外側ケース内に配置される。サムターン２２５は、室内側ケースに配置される。電気錠２２１、入力部２２２及びバッテリ２２４は、いずれも電気錠１２１、入力部１２２及びバッテリ１２４と同様に構成されるため、説明を省略する。
【０１７５】
サムターン２２５は、サムターン１２５Ｄと同様の電動サムターンとして構成される。
【０１７６】
制御部２２３は、平常モードにおいて、平常用ＩＤデータの入力に基づいて解錠するように電気錠２２１の駆動を制御し、緊急モードにおいて、自動的に解錠するようにサムターン２２５の駆動を制御する。制御部２２３は、第２の受信部２１２と通信可能に構成され、第２の受信部２１２から緊急信号を受信した場合、平常モードから緊急モードに切り替え可能に構成される。制御部２２３は、例えばＣＰＵやＲＯＭ、ＲＡＭ、その他の半導体メモリ等の構成を含む。
【０１７７】
通知部２３は、緊急モードにおいて、対象者の健康上の異常及び対象者の携帯情報端末の所在地を、救助者に電子メールで通知する。これにより、電子メールを受けた管理者、及び当該管理者から依頼された他の救助者が対象者の住居へ急行し、既に解錠した扉を介して住居内へ入ることが可能となる。
【０１７８】
（安否確認システムの動作例）
図１６は、安否確認システム２００の動作例を示すフロー図である。
【０１７９】
錠部２２は、平常モードに設定されており、平常用キーによって施解錠可能な状態にある。まず、受信部２１は、対象者に装着されたバイタルサインセンサから、対象者の健康上の異常を知らせる緊急信号を受信する（ＳＴ４０１）。
【０１８０】
続いて、受信部２１は、錠部２２の制御部２２３に対して緊急信号を送信する（ＳＴ４０２）。これにより、錠部２２が、平常モードから緊急モードに移行し（ＳＴ４０３）、サムターン２２５が回動することで錠部２２が解錠する（ＳＴ４０３−１）。また、通知部２３は、携帯電話回線網を介して、対象者の健康上の異常及び対象者の携帯情報端末の所在地を、住居外の所定の管理者の端末に電子メールで通知する（ＳＴ４０３−２）。この電子メールを受信した管理者は、通知された所在地である対象者の住居に急行する。
【０１８１】
対象者の住居に到着した管理者は、既に錠部２２が解錠していることから、対象者の住居内に入り、対象者を救助することができる。また管理者は、必要に応じ、救急隊に通報し、救助を要請することもできる。
【０１８２】
以上のように、本実施形態によれば、緊急信号の受信に伴い、錠部２２が緊急モードに切り替えられ、自動的に解錠されるため、管理者によって迅速な安否確認及び救助が可能となる。さらに、対象者の住居を尋ねてきた訪問者等、管理者以外の者によっても、住居内の対象者の安否確認が可能となる。したがって、対象者の救命率のさらなる向上に寄与することができる。
【０１８３】
また、通知部２３により、対象者の住居から離れた場所の管理者に対して異常事態を通知することが可能となる。これにより、住居外の管理者が異常事態を把握することができ、安否確認が可能となる。
【０１８４】
［変形例２−１］
（安否確認システムの構成）
図１７は、変形例２−１に係る安否確認システムを示すブロック図である。同図に示すように、安否確認システム２００Ａは、受信部２１Ａと、緊急対応部２０Ａと、異常検出部２６Ａとを備える。緊急対応部２０Ａは、錠部２２Ａと、通知部２３Ａとを有する。安否確認システム２００Ａは、バイタルサインセンサから発せられる信号を緊急信号として受信する構成ではなく、所定時間室内側からの解錠操作がない場合に発せられる信号を緊急信号として受信する。
【０１８５】
錠部２２Ａは、錠部２２と同様に、平常モードで平常用ＩＤデータに基づいて扉を解錠し、緊急モードで自動的に扉を解錠する。
【０１８６】
錠部２２Ａは、電気錠２２１Ａと、入力部２２２Ａと、制御部２２３Ａと、バッテリ２２４Ａと、サムターン２２５Ａとを有する。入力部２２２Ａ、制御部２２３Ａ及びバッテリ２２４Ａが室外側ケース内に配置される。サムターン２２５Ａは、室内側ケースに配置される。電気錠２２１Ａ、入力部２２２Ａ及びバッテリ２２４Ａは、いずれも電気錠１２１、入力部１２２及びバッテリ１２４と同様に構成されるため、説明を省略する。
【０１８７】
サムターン２２５Ａは、サムターン２２５と同様に、電動サムターンとして構成される。
【０１８８】
制御部２２３Ａは、制御部２２３と同様に、平常モードにおいて、平常用ＩＤデータの入力に基づいて解錠するように電気錠２２１Ａの駆動を制御し、緊急モードにおいて、自動的に解錠するようにサムターン２２５の駆動を制御する。制御部２２３Ａは、例えばＣＰＵやＲＯＭ、ＲＡＭ、その他の半導体メモリ等の構成を含む。
【０１８９】
受信部２１Ａは、変形例１−５の受信部１１Ｅと同様の概略構成を有し、住居内の安否確認対象者の健康上の異常に基づいて異常検出部２６Ａから出力された緊急信号を受信し、制御部２２３Ａに異常信号の受信に基づく信号を送信する。
【０１９０】
異常検出部２６Ａは、変形例１−５の異常検出部１６Ｅと同様の概略構成を有し、錠部２２Ａの住居内側からの施錠操作を検出し、施錠操作を検出してからの計測時間が設定時間を経過したときに、緊急信号を受信部２１Ａに出力する。
【０１９１】
通知部２３Ａは、通知部１３Ｅと同様の概略構成を有し、受信部２１Ａの緊急信号の受信に基づいて平常モードから緊急モードに移行し、緊急モードで対象者の健康上の異常を住居外の所定の管理者へ通知することが可能に構成される。通知部２３Ａは、インターネットや電話回線等の通信網を利用して管理者へ情報を送信することができる。本変形例において、所定の管理者は、例えば、対象者と契約している警備会社とすることができる。
【０１９２】
以上のように、錠部２２Ａは、所定時間対象者の外出が無かった場合に、緊急信号を受信し、緊急モードに移行する。これにより、対象者に健康上の異常が生じて外出が困難になった際、緊急信号が出力されて自動的に解錠されるため、管理者によって迅速な安否確認及び救助が可能となる。したがって、対象者の救命率のさらなる向上に寄与することができる。
【０１９３】
［変形例２−２］
変形例２−２として、変形例２−１で錠部２２Ａが緊急モードに移行した後、所定時間経過後に平常モードへ移行し、自動的に施錠するようにしてもよい。具体的には、制御部２２３Ａが緊急モード移行からの時間を計時しており、所定時間経過した場合、施錠するようにサムターン２２５Ａの駆動を制御する。これにより、安否確認及び救助した後は自動的に施錠され、防犯性を高めることができる。
【０１９４】
［変形例２−３］
変形例２−３として、変形例２−２で自動的に施錠された後は、錠部２２Ａが、平常用ＩＤデータの入力に基づいて、施錠されている場合は解錠され、解錠されている場合は施錠されるように構成されてもよい。これにより、平常用ＩＤデータを出力する非接触型ＩＣカード等を所持する、対象者やその親族等によっては施解錠が可能となる。なお、平常用ＩＤデータの入力だけでなく、室内側からのサムターン２２５Ａの回動操作によっても施解錠が可能となる。
【０１９５】
［変形例２−４］
変形例２−４として、安否確認システム２００は、扉の住居外側の様子を撮像可能な撮像部と、撮像部が撮像した画像を表示する表示部とをさらに備えていてもよい。撮像部は、緊急モードに移行した後に駆動されてもよく、あるいは、扉の前の人を検出する赤外線センサ等を設置し、扉の前に人が来たときのみ駆動されてもよい。表示部は、所定の管理者によって監視可能な場所に配置されればよく、例えば、対象者の住居が存する集合住宅の管理室や、対象者の親族の住居などに配置される。これにより、自動解錠後の住居侵入者を確認することができ、セキュリティレベルを維持することができる。
【０１９６】
［変形例２−５］
変形例２−５として、安否確認システム２００は、住居外側の扉前の人を検出するセンサ部と、センサ部の検出に基づいて駆動される警報部とを有していてもよい。センサ部は、例えば赤外線センサ等を含んでいてもよい。また警報部は、対象者の住居が存する集合住宅の管理室、又は管理者の住居に設けられた警報ブザーを含んでいてもよい。これにより、自動解錠後に、住居侵入の可能性を管理者に通知することが可能となり、セキュリティレベルを維持することができる。
【０１９７】
［変形例２−６］
また、安否確認システム２００は、通知部を有さない構成とすることもできる。この場合は、例えば、緊急対応部２０が以下の実施形態で説明する発報部を有することで、住居外の近隣住民や、住居が存する集合住宅の管理人等が異常に気づき、安否確認及び救助を行うことが可能となる。
【０１９８】
＜第３の実施形態＞
（安否確認システムの構成）
図１８は、本発明の第３の実施形態に係る安否確認システムを示すブロック図である。安否確認システム３００は、受信部３１と、発報部（緊急対応部）３８とを備える。本実施形態に係る安否確認システム３００は、第１の実施形態と異なり、緊急信号の受信により発報部３８が駆動し、住居外へ緊急事態を発報することが可能となる。なお、以下の説明において、上述の実施形態と同様の構成については同一の符号を付し、説明を簡略化する。
【０１９９】
受信部３１は、第１の実施形態と同様に、住居内の安否確認対象者について、健康上の異常に基づいて出力された異常信号を受信する。受信部３１は、緊急信号を送信するバイタルサインセンサと、例えば、Bluetooth（登録商標）、Wi Fi（登録商標）等の近距離無線通信を用いて通信可能に構成される。受信部３１は、本変形例において、室外側ケースＣ内に配置され、発報部３８と有線又は無線で接続される。
【０２００】
発報部３８は、住居外、例えば、対象者の玄関扉付近に設けられた警報ブザーとして構成され、スピーカ３８１と、スピーカ３８１の駆動を切り替える切替部３８２とを有する。制御部３８２は、受信部３１から緊急信号の受信が可能に構成される。切替部３８２は、例えば、マイクロスイッチ等を含む電子回路として構成される。
【０２０１】
発報部３８は、本実施形態において、平常モード（第１の状態）と、緊急モード（第２の状態）とを有する緊急対応部として機能する。すなわち発報部３８は、平常モードにおいて駆動せず、発報しない。一方発報部３８は、緊急信号の受信に基づいて平常モードから緊急モードへ切り替えられ、緊急モードにおいて、切替部３８２が駆動側に切り替えられ、スピーカ３８２により発報することが可能に構成される。
【０２０２】
（安否確認システムの動作例）
発報部３８は、平常モードに設定されており、駆動されていない。まず、受信部３１は、対象者に装着されたバイタルサインセンサ１５から、対象者の健康上の異常を知らせる緊急信号を受信する。
【０２０３】
続いて、受信部３１は、発報部３８の切替部３８２に対して緊急信号を送信する。これにより、発報部３８が、平常モードから緊急モードに移行し、スピーカ３８１から電子音が発報する。
【０２０４】
したがって、住居外の近隣住民や、住居が存する集合住宅の管理人等に対象者の健康上の異常を知らせることができ、安否確認のための適切な措置を施すことが可能となる。
【０２０５】
［変形例３−１］
変形例３−１として、変形例２−１と同様に、バイタルサインセンサから発せられる信号を緊急信号として受信する構成ではなく、所定時間室内側からの解錠操作がない場合に発せられる信号を緊急信号として受信する構成であってもよい。この場合は、室内側からの施錠操作を検出してからの計測時間が設定時間を経過したときに発せられる緊急信号を受信した受信部から、緊急信号に基づく信号が発報部へ送信され、発報部が平常モードから緊急モードに移行する。
【０２０６】
変形例３−１によっても、住居外の近隣住民や、住居が存する集合住宅の管理人等に対象者の健康上の異常を知らせることができ、安否確認のための適切な措置を施すことが可能となる。
【０２０７】
［変形例３−２］
変形例３−２として、発報部３８は警報ブザーに限定されず、例えばＬＥＤランプを含む構成であってもよい。この場合発報部３８は、平常モードにおいてはＬＥＤランプは発報せず消灯し、緊急モードにおいてはＬＥＤランプが点灯し、発報する。したがって、住居外の近隣住民や、住居が存する集合住宅の管理人等に対象者の健康上の異常を知らせることが可能となる。
【０２０８】
［変形例３−３］
変形例３−３として、発報部３８は、例えば、緊急事態である旨を表示することが可能な表示部を有していてもよい。この場合発報部３８は、平常モードにおいては発報せず、緊急モードにおいては緊急事態である旨を表示して発報する。なお、表示部は、上記旨の他に、在室中である旨を表示してもよい。この場合は、例えば、表示部が扉の電動サムターンと接続され、施解錠の情報を受信可能に構成され、施錠中に上記旨を表示するように構成される。
【０２０９】
＜第４の実施形態＞
（安否確認システムの構成）
図１９は、本発明の第４の実施形態に係る安否確認システムを示すブロック図である。安否確認システム４００は、受信部４１と、緊急対応部４０と、異常検出部４６と、判定部４９とを備える。本実施形態に係る安否確認システム４００は、複数の緊急モードを有し、受信した緊急信号の緊急度に応じた緊急モードに移行する。
【０２１０】
本実施形態により、上記課題の他、緊急度に応じて的確な緊急モードに移行し、安否確認の必要性とセキュリティレベルとの双方の観点を満足させることが可能な安否確認システムを提供するという課題を解決することが可能となる。
【０２１１】
安否確認システム４００の受信部４１と、通知部４３と、判定部４９とは、例えば、対象者の携帯電話機やスマートフォン等の携帯情報端末に予めインストールされた安否確認アプリケーションが動作することで実現される。
【０２１２】
受信部４１は、住居内の安否確認対象者について、健康上の異常に基づいて出力された異常信号を受信する。受信部４１は、第１の受信部４１１と、第２の受信部４１２とを有する。第１及び第２の受信部４１１，４１２は、それぞれ受信した緊急信号を判定部４９へ送信する。
【０２１３】
第１の受信部４１１は、バイタルサインセンサから出力された緊急信号を受信する。バイタルサインセンサは、例えば心拍センサであり、健康上の異常を伴う第１の心拍数以下の心拍を検出した場合に、緊急信号を出力する。また第１の受信部４１１は、受信部１１と同様に、対象者の携帯情報端末に搭載された送受信器と、扉に設けられた室外側ケースに格納された送受信器とでその機能が発揮されてもよい。
【０２１４】
第２の受信部４１２は、受信部１１Ｅ及び異常信号受信部１２６Ｄと同様に構成され、異常検出部４６から出力された緊急信号を受信する。
【０２１５】
異常検出部４６は、異常検出部１６Ｄ，１６Ｅと同様の概略構成を有する。すなわち、異常検出部４６は、錠部４２の住居内側からの施錠操作を検出し、施錠操作を検出してからの計測時間が設定時間を経過したときに、緊急信号を第２の受信部４１２に出力する。
【０２１６】
判定部４９は、受信された緊急信号の緊急度を、予め設定された複数の緊急度に基づいて判定する。複数の緊急度は、例えば第１の緊急度、第２の緊急度及び第３の緊急度であり、この順で緊急度が低くなるように設定される。判定部４９は、例えば、以下のように緊急信号の緊急度を判定する。すなわち、第１の受信部４１１が受信したバイタルサインセンサからの緊急信号が、第１の心拍数よりも小さい第２の心拍数以下の心拍に基づくものであった場合、第１の緊急度であると判定する。第１の受信部４１１が受信したバイタルサインセンサからの緊急信号が、第１の心拍数以下であり第２の心拍数より大きい心拍に基づくものであった場合、第２の緊急度であると判定する。第２の受信部４１２が緊急信号を受信した場合、第３の緊急度であると判定する。
【０２１７】
緊急対応部４０は、平常時に設定される平常モード（第１の状態）と、住居内の対象者の安否確認を促す緊急モード（第２の状態）とを有し、緊急信号の受信に基づいて平常モードから緊急モードへ移行する。さらに緊急対応部４０は、複数の緊急度各々に対応する複数の緊急モードを有し、緊急信号の受信に基づいて、判定された緊急度に対応する緊急モードに移行する。緊急対応部４０は、例えば、第１の緊急度に対応する第１の緊急モードと、第２の緊急度に対応する第２の緊急モードと、第３の緊急度に対応する第３の緊急モードとを有する。
【０２１８】
緊急対応部４０は、錠部４２と、通知部４３と、発報部４８とを有する。錠部４２は、平常モードにおいて、第１の入力情報を含む平常用キーにより錠部４２の解錠が可能となる。平常モードにおいて、通知部４３はその機能を発揮せず、発報部４８は駆動しない。第１の緊急モードにおいて、いずれの施解錠キーによらず自動的に錠部４２が解錠される。通知部４３は緊急事態を通知する機能を発揮し、発報部４８は駆動する。第２の緊急モードにおいて、所定の管理者が管理可能な第２の入力情報を含む緊急用キーにより錠部４２の解錠が可能となる。通知部４３は緊急事態を通知する機能を発揮し、発報部４８は発報しない。第３の緊急モードにおいて、発報部４８は発報するが、通知部４３はその機能を発揮せず、錠部４２も平常モードと同様に制御される。
【０２１９】
錠部４２は、平常モードで第１の入力情報に基づいて扉を解錠し、第１の緊急モードで第１の入力情報によらず即扉を解錠し、第２の緊急モードで第１の入力情報とは異なる第２の入力情報に基づいて扉を解錠する。錠部４２は、テンキー錠として構成されてもよいし、施解錠キーを用いて解錠可能としてもよい。
【０２２０】
錠部４２は、電気錠４２１と、入力部４２２と、制御部４２３と、バッテリ４２４と、サムターン４２５とを有する。電気錠４２１、入力部４２２、バッテリ４２４、及びサムターン４２５は、それぞれ、変形例１−４の電気錠１２１Ｄ、入力部１２２Ｄ、制御部１２３Ｄ、バッテリ１２４Ｄ、及びサムターン１２５Ｄと同様に構成されるため、その説明を省略する。
【０２２１】
制御部４２３は、平常モードにおいて、第１の入力情報に基づいて解錠するように電気錠４２１の駆動を制御し、第１の緊急モードにおいて、解錠するようにサムターン４２５の駆動を制御する。また第２の緊急モードにおいて、第２の入力情報に基づいて解錠するように電気錠４２１の駆動を制御する。
【０２２２】
発報部４８は、発報部３８と同様の概略構成を有し、スピーカ３８１と同様のスピーカ４８１と、切替部３８２と同様の切替部４８２とを有する。発報部４８は、平常モード、第２の緊急モードにおいて発報せず、第１及び第３の緊急モードにおいて切替部４８２により駆動され、発報する。なお、第２の緊急モードにおいても発報するように構成されてもよい。
【０２２３】
通知部４３は、例えば、第１及び第２の緊急モードにおいて、対象者の健康上の異常を住居外の所定の管理者へ通知することが可能に構成される。具体的には、緊急信号の受信時に、携帯電話通信網等を利用して、救助者の携帯電話機等の端末へ対象者が緊急事態である旨の電子メールを自動的に送信してもよい。あるいは、通知部４３は、固定電話回線網を利用して親族等に通知してもよいし、インターホン回線を利用して集合住宅の管理人等に通知してもよい。また、インターネット回線を利用して警備会社等に通知してもよい。
【０２２４】
本実施形態において、緊急信号が第１の緊急度の場合、対象者の死の危険性も高く、一刻も早く解錠する必要がある。このため、第１の緊急モードにおいては即、扉を解錠するとともに住居外へ発報し、何人も住居内へ入り安否確認することを可能とする。一方第２の緊急度の場合、対象者に何らかの健康上の問題が生じたと考えられ、安否確認及び救助の必要性はあるものの、緊急性は第１の緊急モードよりも高くなく、セキュリティレベルもある程度確保する必要がある。このため、第２の緊急モードにおいては緊急用キーを所持する所定の管理者等のみ解錠可能とする。第３の緊急度の場合、対象者が既に死亡している可能性が高く、救助の必要性は高いとは言えない。このため、第３の緊急モードにおいては、周囲に発報し、安否確認を促すのみとする。
【０２２５】
（安否確認システムの動作例）
図２０は、安否確認システム４００の動作例を示すフロー図である。
【０２２６】
緊急対応部４０は、平常モードに設定されている。受信部４１が、対象者に装着されたバイタルサインセンサ又は異常検出部４６から、対象者の健康上の異常を知らせる緊急信号を受信する（ＳＴ５０１）。
【０２２７】
次に、判定部４９は、受信された緊急信号の緊急度が、予め設定された第１及び第２の緊急度であるか、あるいは、第３の緊急度であるか判定する（ＳＴ５０２）。具体的には、第１の受信部４１１が受信した緊急信号の場合は、第１及び第２の緊急度と判定し、第２の受信部４１２が受信した緊急信号の場合は、第３の緊急度と判定する。
【０２２８】
第３の緊急度と判定した場合、緊急対応部４０が第３の緊急モードに移行し（ＳＴ５０７）、発報部４８が発報する（ＳＴ５０７−１）。
【０２２９】
第１及び第２の緊急度と判定した場合（ＳＴ５０２で「第１及び第２の緊急度」）、判定部４９は、第２の心拍数以下であるか判定する（ＳＴ５０３）。第２の心拍数以下の場合は（ＳＴ５０３でＹｅｓ）、第１の緊急度であると判定し、緊急対応部４０が、第１の緊急モードに移行する（ＳＴ５０４）。すなわち、サムターン４２５が回動することで錠部４２により扉が解錠し（ＳＴ５０４−１）、発報部４８が発報する（ＳＴ５０４−２）。また、通知部４３は、対象者の健康上の異常及び対象者の携帯情報端末の所在地等を、住居外の所定の管理者の端末に電子メールで通知する（ＳＴ５０４−３）。これにより、発報に気づいた周囲の住民や、対象者の住居に到着した管理者は、既に錠部４２が解錠していることから、対象者の住居内に入り、対象者を救助することができる。
【０２３０】
判定部４９は、第２の心拍数より大きい場合には（ＳＴ５０３でＮｏ）、第２の緊急度であると判定し、緊急対応部４０が、第２の緊急モードに移行する（ＳＴ５０５）。これにより、錠部４２は、第２の入力情報に基づいて解錠できる状態となり（ＳＴ５０５−１）、通知部４３は、携帯電話回線網を介して、対象者の健康上の異常等を、住居外の所定の管理者の端末に電子メールで通知する（ＳＴ５０５−２）。
【０２３１】
この電子メールを受信した管理者は、通知された所在地である対象者の住居に急行する。住居に到着した管理者は、緊急用キーにより、あるいは通知部４３から通知された緊急用暗証番号等の入力により、第２の入力情報の入力操作を行う。これにより、第２の入力情報に基づいて錠部４２により扉が解錠する（ＳＴ５０６）。したがって、管理者が対象者の住居内に入り、対象者を救助することができる。
【０２３２】
以上のように、本実施形態によれば、緊急度に応じて緊急対応部４０が異なる緊急モードに移行し、安否確認を促すことができる。したがって、緊急性に応じてセキュリティレベルを調整し、安否確認とセキュリティとの双方の観点を満足させることができる。
【０２３３】
［変形例４−１］
本実施形態の変形例４−１として、受信部４１が、バイタルサインセンサ、異常検出部からの緊急信号の他、対象者自身によって出力が制御された緊急信号を受信することが可能であってもよい。このような緊急信号は、例えば、通報ボタンの押下により出力されてもよく、あるいは、携帯電話回線網、固定電話回線網を利用して送信されてもよい。この場合、判定部４９は、バイタルサインセンサからのみの緊急信号を受信した場合に最も緊急性が高い第１の緊急度、通報ボタンからの緊急信号を受信した場合に次に緊急性が高い第２の緊急度、異常検出部からの緊急信号を受信した場合に最も緊急性が低い第３の緊急度、と緊急信号の緊急度を判定することができる。
【０２３４】
［変形例４−２］
変形例４−２として、受信部４１が緊急信号（緊急信号Ａとする）を受信して緊急対応部４０がある緊急度（緊急度Ａとする）に対応する緊急モード（緊急モードＡとする）へ移行した後、当該緊急モードＡを緊急モードＢへ変更可能な構成としてもよい。すなわち、緊急モードＡへ移行した後、受信部４１が緊急信号Ｂを受信し、判定部４９が判定した緊急信号Ｂの緊急度が、緊急度Ａよりも緊急度の高い緊急度Ｂであった場合、緊急対応部４０が緊急度Ｂに対応する緊急モードＢへ移行可能とする。例えば、通報ボタンからの緊急信号を受信して第２の緊急度に対応する第２の緊急モードに移行した後、バイタルサインセンサからの緊急信号を受信した場合には、第１の緊急度に対応する第１の緊急モードに移行することができる。
【０２３５】
上記構成により、患者の健康状態に即したより迅速な対応が可能となり、救命率を高めることができる。なお、緊急対応部４０は、例えば、緊急モードＡに移行した後、所定時間以内に限り他の緊急モードに移行可能に構成されてもよい。
【０２３６】
［他の変形例］
本実施形態において、各緊急モードにおける処理は、上述の処理に限定されない。例えば、第１の緊急モードにおいて、発報部４８が発報しなくてもよく、あるいは、通知部４３が通知しなくてもよい。また、第２の緊急モードにおいて、発報部４８が発報してもよい。
【０２３７】
また、安否確認システム４００は、３つの緊急モードに限定されず、２つでも、４つ以上の緊急モードを有していてもよい。例えば、４つの緊急モードを有する場合には、上述の第１乃至第３の緊急モードに加え、通知部４３が所定の管理者に通知するのみの第４の緊急モードを有していてもよい。
【０２３８】
さらに、安否確認システム４００の各要素は、実施が可能である限り、上述の各実施形態及び各変形例において説明した、対応する構成に変更可能である。
【０２３９】
＜第５の実施形態＞
（安否確認システムの構成）
図２１は、本発明の第５の実施形態に係る安否確認システムを示すブロック図である。安否確認システム５００は、受信部５１と、緊急対応部５０とを備える。緊急対応部５０は、錠部５２と、通知部５３と、第１のインターホン部５０１と、第２のインターホン部５０２と、共用口切替部５０３と、エレベータ制御部５０４とを有する。なお、以下の説明において、上述の実施形態と同様の構成については、説明を簡略化する。
【０２４０】
本実施形態に係る安否確認システム５００は、第１の実施形態と異なり、緊急信号の受信により、集合住宅の共用口の開閉等を制御可能に構成される。ここで、本実施形態では、対象者の「住居」は、開閉が可能な共用口を有する集合住宅の一室であるとする。集合住宅には、集合住宅の外側から内側への通過が規制される共用口が設けられる。共用口は、集合住宅の共用部に設けられたオートドアや扉、門扉等であって、例えば、共用玄関に設けられたオートドアとすることができる。当該オートドアは、例えば、内側から外側への通過に関しては、人感センサ等によりオートドア付近の人を検出し、自動的に閉状態から開状態に切り替え可能に構成される。一方、外側から内側への通過に関しては、セキュリティ上の点から、人感センサ等による検出に加えて、後述するような情報の入力等を必要とする。
【０２４１】
安否確認システム５００の受信部５１と、通知部５３とは、例えば、携帯電話機やスマートフォン等の対象者の携帯情報端末に予めインストールされた安否確認アプリケーションが動作することで実現される。
【０２４２】
本実施形態においても、対象者は、図示しないバイタルサインセンサを装着している。
【０２４３】
受信部５１は、住居内の安否確認対象者について、健康上の異常に基づいて出力された異常信号を受信する。受信部５１は、携帯情報端末に搭載された送受信器によりその機能が発揮される第１の受信部５１１と、錠部５２の全部又は一部が収容されたケースに格納された送受信器によりその機能が発揮された第２の受信部５１２と、さらに第３の受信部５１３とを有する。第１の受信部５１１は、異常信号を送信する図示しないバイタルサインセンサと通信可能に構成され、緊急信号を第２の受信部５１２及び第３の受信部５１３に送信する。第２の受信部５１２は、第１の受信部５１１から緊急信号を受信して、緊急対応部５０の錠部５２に緊急信号を送信する。
【０２４４】
第３の受信部５１３は、第１の受信部５１１から緊急信号を受信して、緊急対応部５０の第１のインターホン部５０１、第２のインターホン部５０２、共用口切替部５０３、及びエレベータ制御部５０４に緊急信号を送信する。通信手段としては特に限定されないが、例えば、Bluetooth（登録商標）、Wi Fi（登録商標）等の近距離無線通信を用いることができる。第３の受信部５１３は、第１のインターホン部５０１及び第２のインターホン部５０２間の信号の送受信等を制御するインターホン制御盤等により実現されてもよい。
【０２４５】
錠部５２は、平常モードで第１の入力情報に基づいて扉を解錠し、緊急モードで第１の入力情報とは異なる第２の入力情報に基づいて扉を解錠する。錠部５２は、第１の実施形態及びその変形例で説明した錠部１２，１２Ａ，１２Ｂ，１２Ｃ等のうちの一つと同様に構成されてもよく、詳細な説明は省略する。
【０２４６】
通知部５３は、通知部１３と同様に、対象者の健康上の異常を通知する。なお、通知部５３は、緊急用暗証番号を救助者に電子メールで通知してもよい。
【０２４７】
第１のインターホン部５０１は、住居外に設置され所定の入力操作により呼出信号の出力が可能に構成される。第１のインターホン部５０１は、共用口の外側に配置されたインターホン子機として構成され得る。第１のインターホン部５０１は、例えば、所定の入力操作が可能なテンキー等の入力装置と、及び第２のインターホン部５０２と通信可能に構成された通話装置とを有する。
【０２４８】
第１のインターホン部５０１は、平常モードにおいて、所定の入力操作をした住居への来客が、第２のインターホン部５０２を介して住居内の対象者等と通話可能に構成されるとともに、後述する第１の共用口入力情報の入力操作が可能に構成される。加えて、第１のインターホン部５０１は、緊急モードにおいて、後述する第２の共用口入力情報の入力操作が可能に構成される。
【０２４９】
第２のインターホン部５０２は、住居内に設置され呼出信号の受信が可能な、インターホン親機として構成され得る。第２のインターホン部５０２は、第１のインターホン部５０１と通話可能に構成され得る。これにより、対象者は、平常モードにおいて、呼出信号を受信した第２のインターホン部５０２を用いて所定の入力操作をした来客等と通話することができる。第２のインターホン部５０２は、また、後述する共用口切替部５０３と接続され、共用口を通過可能な状態にするための入力操作が可能に構成され得る。
【０２５０】
共用口切替部５０３は、平常モードで、集合住宅の外側から通過不可能な共用口を、第１の共用口入力情報に基づいて通過可能な状態に切り替え、緊急モードで、集合住宅の外側から通過不可能な共用口を、第１の共用口入力情報によらず通過可能な状態に切り替える。例えば、共用口切替部５０３は、緊急モードで集合住宅の外側から通過不可能な共用口を、第１の共用入力情報とは異なる第２の共用入力情報に基づいて通過可能な状態に切り替えてもよい。共用口切替部５０３は、例えば、オートドアの制御盤により実現される。第１の共用口入力情報及び第２の共用口入力情報は特に限定されず、所定の施解錠キーから出力される情報や、暗証番号等であってもよい。
【０２５１】
共用口切替部５０３は、また、第１のインターホン部５０１と接続されている。第１の共用口入力情報及び第２の共用口入力情報は、例えば、第１のインターホン部５０１の操作盤等により入力することができる。また、共用口切替部５０３は、平常モードにおいて、第１の共用口入力情報の他、第２のインターホン部５０２を用いて来客等と通話した対象者の入力操作により、共用口を通過可能な状態にすることができる。
【０２５２】
エレベータ制御部５０４は、エレベータの開閉及び昇降動作を制御可能に構成される。エレベータ制御部５０４は、平常モードにおいて、例えば、共用口の通過可能な状態を検出した後に、エレベータの開閉操作、及び昇降操作が可能に構成され、緊急モードにおいて、共用口を通過した者（救助者等）を共用口のある階から住居のある階までエレベータで移動させることが可能に構成される。エレベータ制御部５０４は、例えば、緊急モードにおいて共用口が通過可能な状態とされた場合、共用口のあるエントランス階でエレベータを開扉させるようを制御してもよい。さらに、エレベータ制御部５０４は、対象者の住居が存する階（住居階とする）までエレベータを移動させ、住居階において開扉させる。これにより、救助者等がエレベータの操作をすることなく、より迅速に救助者等を住居まで案内することができる。
【０２５３】
（安否確認システムの動作）
図２２は、本変形例に係る安否確認システム５００の動作例を示すフロー図である。ここでは、錠部５２が変形例１−１と同様のテンキー錠で構成され、第１の入力情報が第１の識別符号（平常用暗証番号）を含み、第２の入力情報が、平常用暗証番号とは異なる第２の識別符号（緊急用暗証番号）を含む例を挙げる。また、共用口切替部５０３が上述のオートドアの制御盤として構成され、第１の共用口入力情報が上記平常用暗証番号を含み、第２の共用口入力情報が上記緊急用暗証番号を含む例を挙げる。
【０２５４】
緊急対応部５０は、平常モードに設定されており、平常用ＩＤによって解錠可能な状態にある。まず、受信部５１は、対象者に装着されたバイタルサインセンサから、対象者の健康上の異常を知らせる緊急信号を受信する（ＳＴ６０１）。
【０２５５】
続いて、受信部５１は、緊急対応部５０の錠部５２、通知部５３、第１のインターホン部５０１、第２のインターホン部５０２、共用口切替部５０３、及びエレベータ制御部５０４に対して緊急信号を送信する（ＳＴ６０２）。これにより、緊急対応部５０が、平常モードから緊急モードに移行する（ＳＴ６０３）。
【０２５６】
すなわち、錠部５２が第２の入力情報に基づいて解錠できる状態となり（ＳＴ６０３−１）、通知部５３は、携帯電話回線網を介して、対象者の健康上の異常、対象者の携帯情報端末の所在地等を住居外の所定の管理者の端末に電子メールで通知する（ＳＴ６０３−２）。また、この電子メールを受信した管理者は、救急隊に通報し、救助を要請することができる。管理者は、救急隊に対し、予め定められた緊急用暗証番号を伝える。
【０２５７】
また、共用口切替部５０３は、第２の共用口入力情報に基づいて共用口を通過可能な状態に切り替えられる（ＳＴ６０３−３）。対象者の住居に到着した救急隊は、第１のインターホン部５０１のテンキーを用いて予め設定された緊急用暗証番号「１１９」を入力する。これにより、共用口としてのオートドアが開き、救急隊が、集合住宅の内部へと進むことができる。
【０２５８】
さらに、エレベータ制御部５０４は、緊急モードにおいて、対象者の救助をする者を共用口のある階から住居のある階までエレベータで移動させる（ＳＴ６０３−４）。エレベータ制御部５０４は、例えば、緊急モードにおいて共用口が解錠した場合、共用口のあるエントランス階でエレベータを開扉させる。さらに、エレベータ制御部５０４は、住居階までエレベータを移動させ、住居階において開扉させる。これにより、救急隊は、円滑に住居階まで移動することができる。
【０２５９】
なお、エレベータにより住居階まで誘導する旨を、救急隊に通知してもよい。例えば、緊急用暗証番号を入力した後、第１のインターホン部５０１の表示部に、上記誘導する旨を表示してもよい。あるいは、エレベータ内のスピーカ等から音声により通知してもよい。
【０２６０】
対象者の住居に到着した救急隊は、錠部５２のテンキーを用いて緊急用暗証番号「１１９」を入力する。これにより、錠部５２は、緊急用暗証番号を含む第２の入力情報に基づいて扉を解錠する（ＳＴ６０４）。
【０２６１】
以上のように、本実施形態によれば、共用口が設けられた集合住宅であっても、迅速な安否確認及び救助が可能となる。
【０２６２】
［変形例５−１］
緊急対応部５０は、エレベータ制御部を有しなくてもよい。すなわち、緊急対応部５０は、錠部５２と、通知部５３と、第１のインターホン部５０１と、第２のインターホン部５０２と、共用口切替部５０３とを有してもよい。
【０２６３】
［変形例５−２］
緊急対応部５０は、さらに、第１のインターホン部５０１及び第２のインターホン部５０２を有さなくてもよい。すなわち、緊急対応部５０は、錠部５２と、通知部５３と、共用口切替部５０３とを有してもよい。これによっても、上記共用口が設けられた集合住宅において、緊急時の安否確認が容易になる。なお、この場合は、後述するように、第１の共用入力情報及び第２の共用入力情報の入力が可能な入力装置等により、これらの情報の入力操作が行われ得る。
【０２６４】
［変形例５−３］
共用口は、集合住宅に複数設けられており、緊急対応部５０が、錠部５２と、通知部５３と、複数の共用口切替部５０３とを有してもよい。各共用口は、例えば、共用玄関やエレベータホール入口、通用口、非常口等であってもよい。これにより、共用口が複数ある場合であっても、セキュリティレベルを維持しつつ、安否確認が可能となる。なお、複数の共用口各々は、同様の構成であってもよいし、異なる構成であってもよい。例えば、共用玄関としての共用口は、上述のオートドアが設けられていてもよいし、通用口としての共用口は、電気錠により施開錠が可能な扉が設けられていてもよい。
【０２６５】
［変形例５−４］
図２３に示すように、安否確認システム５００Ａの緊急対応部５０Ａは、第１のインターホン部５０１、第２のインターホン部５０２と、共用口切替部５０３と、エレベータ制御部５０４とを制御するシステム制御部５０５を有してもよい。システム制御部５０５は、第３の受信部５１３と接続され、緊急信号の受信により、上記各部を制御する。システム制御部５０５は、例えば、上述のインターホン制御盤や、共用口等の遠隔操作が可能な電子錠制御盤、オートロックシステムの制御盤等によって実現され得る。
【０２６６】
［変形例５−５］
受信部５１の構成は上記に限定されず、例えば第３の受信部５１３を有さなくてもよい。この場合、第３の受信部５１３は、第１のインターホン部５０１、第２のインターホン部５０２、共用口切替部５０３及びエレベータ制御部５０４等へ、緊急信号を送信可能に構成されてもよい。
【０２６７】
［変形例５−６］
共用口切替部５０３は、緊急モードで第１の共用口入力情報とは異なる第２の共用口入力情報に基づいて共用口を解錠する構成に限定されない。例えば、共用口切替部５０３は、平常モードで、集合住宅の外側から通過不可能な共用口を、第１の共用口入力情報に基づいて通過可能な状態に切り替え、緊急モードで上記共用口を通過可能な状態に切り替えてもよい。これにより、緊急モードにおいて自動的に共用口が通過可能な状態に切り替えられ、緊急性が高い場合であっても、安否確認がより容易になる。
【０２６８】
［変形例５−７］
第１の共用口入力情報及び第２の共用口入力情報は、第１のインターホン部５０１の操作盤等により入力されると説明したが、第１のインターホン部５０１とは別個の入力装置により、入力されてもよい。
【０２６９】
［変形例５−８］
錠部５２は、第２の実施形態の錠部２２と同様に、平常モードで平常用ＩＤデータに基づいて扉を解錠し、緊急モードで自動的に扉を解錠してもよい。これにより、緊急性が高い場合であっても、安否確認が容易になる。また、この場合に、共用口切替部５０３が、変形例５−６と同様に構成されてもよい。これにより、より安否確認が容易になり、救命率の向上に寄与できる。
【０２７０】
［変形例５−９］
図２４に示すように、安否確認システム５００Ｂの緊急対応部５０Ｂは、錠部５２と、通知部５３と、第１のインターホン部５０１と、第２のインターホン部５０２と、共用口切替部５０３と、エレベータ制御部５０４とに加えて、さらに、発報部５８を有してもよい。
【０２７１】
発報部５８は、住居外、例えば、対象者の玄関扉付近に設けられた警報ブザーとして構成され、発報部３８と同様に、図示しないスピーカと、スピーカの駆動を切り替える切替部とを有してもよい。発報部５８は、平常モードにおいて駆動せず、発報しない。一方発報部５８は、緊急信号の受信に基づいて平常モードから緊急モードへ切り替えられ、緊急モードにおいて、駆動側に切り替えられ、スピーカにより発報することが可能に構成される。これにより、近隣住民等に対し、対象者の健康上の異常を知らせることができるとともに、救助者に対象者の住居を通知することが容易になる。
【０２７２】
なお、この場合、錠部５２を有さない構成としてもよい。すなわち、緊急対応部５０Ｂは、通知部５３と、第１のインターホン部５０１と、第２のインターホン部５０２と、共用口切替部５０３と、エレベータ制御部５０４と、発報部５８とを有してもよい。
【０２７３】
［変形例５−１０］
図２５に示すように、安否確認システム５００Ｃは、第４の実施形態と同様に、受信部５１Ｃと、緊急対応部５０Ｃと、異常検出部５６と、判定部５９とを備えてもよい。緊急対応部５０Ｃは、錠部５２Ｃと、通知部５３Ｃと、第１のインターホン部５０１Ｃと、第２のインターホン部５０２Ｃと、共用口切替部５０３Ｃと、エレベータ制御部５０４Ｃとを有する。
【０２７４】
受信部５１Ｃは、受信部４１と同様に、住居内の安否確認対象者について、健康上の異常に基づいて出力された異常信号を受信する。受信部５１Ｃは、第１の受信部５１１Ｃと、第２の受信部５１２Ｃとを有する。第１及び第２の受信部５１１Ｃ，５１２Ｃは、それぞれ受信した緊急信号を判定部５９へ送信する。
【０２７５】
第１の受信部５１１Ｃは、第１の受信部４１１と同様に、バイタルサインセンサから出力された緊急信号を受信する。
【０２７６】
第２の受信部５１２Ｃは、第２の受信部４１２と同様に、異常検出部５６から出力された緊急信号を受信する。
【０２７７】
異常検出部５６は、異常検出部４６と同様に、錠部５２Ｃの住居内側からの施錠操作を検出し、施錠操作を検出してからの計測時間が設定時間を経過したときに、緊急信号を第２の受信部５１２に出力する。
【０２７８】
判定部５９は、判定部４９と同様に、受信された緊急信号の緊急度を、予め設定された複数の緊急度に基づいて判定する。複数の緊急度は、例えば第１の緊急度、第２の緊急度及び第３の緊急度であり、この順で緊急度が低くなるように設定される。
【０２７９】
緊急対応部５０Ｃは、緊急対応部４０と同様に、複数の緊急度各々に対応する複数の緊急モードを有し、緊急信号の受信に基づいて、判定された緊急度に対応する緊急モードに移行する。緊急対応部５０Ｃは、例えば、第１の緊急度に対応する第１の緊急モードと、第２の緊急度に対応する第２の緊急モードと、第３の緊急度に対応する第３の緊急モードとを有する。
【０２８０】
錠部５２Ｃは、錠部４２と同様に、平常モードで第１の入力情報に基づいて扉を解錠し、第１の緊急モードで第１の入力情報によらず即扉を解錠し、第２の緊急モードで第１の入力情報とは異なる第２の入力情報に基づいて扉を解錠する。
【０２８１】
通知部５３Ｃは、通知部４３と同様に、例えば、第１及び第２の緊急モードにおいて、対象者の健康上の異常を住居外の所定の管理者へ通知することが可能に構成される。
【０２８２】
第１のインターホン部５０１Ｃは、平常モードにおいて、所定の入力操作をした住居への来客が、第２のインターホン部５０２Ｃを介して住居内の住人（対象者等）と通話可能に構成されるとともに、第１の共用口入力情報の入力操作が可能に構成される。また、第１のインターホン部５０１Ｃは、第２の緊急モードにおいて、後述する第２の共用口入力情報の入力操作が可能に構成される。
【０２８３】
第２のインターホン部５０２Ｃは、平常モードにおいて、呼出信号を受けて共用口切替部５０３Ｃを解錠するための入力操作が可能に構成される。
【０２８４】
共用口切替部５０３は、平常モードで、集合住宅の外側から通過不可能な共用口を、第１の共用口入力情報に基づいて通過可能な状態に切り替え、緊急モードで、集合住宅の外側から通過不可能な共用口を、第１の共用口入力情報によらず通過可能な状態に切り替える。
【０２８５】
エレベータ制御部５０４Ｃは、平常モードにおいて、共用口の通過可能な状態に基づいて、エレベータの開閉操作、及び昇降操作が可能に構成され、第１及び第２の緊急モードにおいて、対象者の救助をする者を共用玄関のある階から住居のある階までエレベータで移動させる。
【０２８６】
上記構成により、集合住宅であっても、緊急性に応じてセキュリティレベルを調整し、安否確認とセキュリティとの双方の観点を満足させることができる。
【０２８７】
［他の変形例］
本実施系形態及び各変形例の各要素は、上述の構成に限定されず、実施が可能である限り、上述の各実施形態及び各変形例の対応する構成に変更することが可能である。また、本実施形態において説明した第３の受信部、共用口切替部、及びシステム制御部は、上述の構成に限定されず、以下の構成に変更することが可能である。
【０２８８】
（第３の受信部）
第３の受信部は、通信手段として、Bluetooth（登録商標）、Wi Fi（登録商標）、赤外線通信等の近距離無線通信の他、携帯電話通信網、固定電話通信網、インターホン回線、光ファイバ等を用いた有線通信網等を適宜利用することができる。また、第３の受信部は、インターホン制御盤、エレベータ制御盤、共用口切替部部の一部が搭載された制御盤等により、実現され得る。
【０２８９】
（共用口切替部）
共用口切替部は、共用口にオートドアが設けられている場合には、上述のようにオートドアの制御盤により構成され得る。あるいは、共用口が扉の場合には、錠部と同様に、遠隔操作や通信が可能な電気錠システムや、電池式の電気錠装置として構成され得る。また、共用口が扉の場合には、サムターンを有していてもよい。
【０２９０】
第２の共用口入力情報は上述の内容に限定されず、例えば、所定の施解錠キー等から出力される情報や、識別符号を含む情報であってもよい。上記識別符号は、暗証番号に限定されず、例えば、アルファベットや数字を組み合わせたパスワード等を採用してもよい。あるいは、第２の共用口入力情報は、管理者の携帯端末等にインストールされた緊急解錠アプリケーションによって送信される情報であってもよい。
【０２９１】
また、第２の共用口入力情報は、予め生成されたものであってもよいし、緊急モードに移行した後、共用口切替部やシステム制御部等によって生成されたものでもよい。また、第２の共用口入力情報は、一回の解錠操作にのみ使用可能であってもよい。
【０２９２】
また、第２の共用口入力情報が所定の生体情報であり、生体（バイオメトリクス）認証を利用して解錠するようにしてもよい。
【０２９３】
共用口切替部は上記に限定されず、鍵を用いて施解錠を行う一般の錠装置により実現されてもよい。この場合には、例えば共用口切替部は、鍵により扉の施解錠が可能な錠装置と、当該鍵の合鍵が収容されたキーボックスとを有し、緊急信号の受信により、キーボックスが開き、上記合鍵を取り出して扉を解錠することが可能に構成されてもよい。
【０２９４】
（システム制御部）
システム制御部は、上述のインターホン制御盤や、集合住宅のセキュリティシステムの制御盤、また電気錠制御盤等により、実現されてもよい。また、システム制御部は、対象者又は管理者の携帯情報端末にインストールされた緊急解錠アプリケーション等によって実現されてもよい。
【０２９５】
以上、本発明は上述の実施形態及び変形例にのみ限定されるものではなく、本開示の要旨を逸脱しない範囲内において種々変更され得る。また、上述の第１〜第４の各実施形態及び各変形例は、矛盾が生じない限り如何様にも組み合わされて構成され得る。
【符号の説明】
【０２９６】
１００，１００Ａ，１００Ｂ，１００Ｃ，１００Ｄ，１００Ｅ，１００Ｆ，２００，２００Ａ，３００，４００，５００，５００Ａ，５００Ｂ，５００Ｃ…安否確認システム
１１，１１Ｅ，２１，２１Ａ，３１，４１，５１，５１Ｃ…受信部
１０，１０Ａ，１０Ｂ，１０Ｃ，１０Ｄ，１０Ｅ，１０Ｆ，２０，２０Ａ，４０，５０，５０Ａ，５０Ｂ，５０Ｃ…緊急対応部
１２，１２Ａ，１２Ｂ，１２Ｃ，１２Ｄ，１２Ｅ，１２Ｆ，２２，２２Ａ，４２，５２…錠部
１３，１３Ａ，１３Ｂ，１３Ｃ，１３Ｄ，１３Ｅ，２３，２３Ａ，４３，５３…通知部
１６Ｄ，１６Ｅ…異常検出部
１７Ｆ…インターホン機構
１７１Ｆ…第１のインターホン部
１７２Ｆ…第２のインターホン部
１８Ｇ…切替通知部
３８…発報部（緊急対応部）
４８，５８…発報部
４９，５９…判定部
５０３，５０３Ｃ・・・共用口切替部
Ｈ…住居
Ｄ…扉
Ｐ１…対象者（安否確認対象者）
Ｐ２…管理者
【図１】
2015158892.tif 000003
【図２】
2015158892.tif 000004
【図３】
2015158892.tif 000005
【図４】
2015158892.tif 000006
【図５】
2015158892.tif 000007
【図６】
2015158892.tif 000008
【図７】
2015158892.tif 000009
【図８】
2015158892.tif 000010
【図９】
2015158892.tif 000011
【図１０】
2015158892.tif 000012
【図１１】
2015158892.tif 000013
【図１２】
2015158892.tif 000014
【図１３】
2015158892.tif 000015
【図１４】
2015158892.tif 000016
【図１５】
2015158892.tif 000017
【図１６】
2015158892.tif 000018
【図１７】
2015158892.tif 000019
【図１８】
2015158892.tif 000020
【図１９】
2015158892.tif 000021
【図２０】
2015158892.tif 000022
【図２１】
2015158892.tif 000023
【図２２】
2015158892.tif 000024
【図２３】
2015158892.tif 000025
【図２４】
2015158892.tif 000026
【図２５】
2015158892.tif 000027